(57)【特許請求の範囲】
【請求項１】
基地局と通信制御機器とからなる通信網と、通信網に接続された広告サーバーと、通信網の基地局及び通信制御機器を介して広告サーバーと通信を行う携帯通信機器とを備え、携帯通信機器にはバッテリーと、当該バッテリーからの電力で動作して通信網の基地局と無線通信を行う無線送受信部と、ユーザーの顔画像を撮影するインカメラと、対人の顔画像を撮影するアウトカメラと、広告サーバーから配信された広告をユーザーに可視化するインディスプレイと、広告サーバーから配信された広告を対人に可視化するアウトディスプレイと、広告配信を目的とするアプリケーションソフトと、当該アプリケーションソフトの働きにより無線送受信部を経由して広告サーバーと携帯通信機器との間で行われる広告配信要求の処理を行う配信要求手段と、非接触送受信部とが設けられ、広告サーバーには携帯通信機器から送信された顔画像からユーザー及び対人の性別や年齢を解析するのに必要なデータが格納された解析データベースと、解析された性別と年齢別ごとに配信するのに必要な広告が格納された年齢別広告データベースと、携帯通信機器から送信された顔画像から解析データベースを利用してユーザー及び対人の性別と年齢とを解析して年齢別広告データベースから上記解析したユーザー及び対人の性別と年齢とに適合する広告を抽出する解析手段と、解析手段で抽出された広告を配信要求の有った携帯通信機器に配信する配信手段と、広告配信に対応する特典を携帯通信機器のユーザーに与えるのに必要な特典データが格納された付加価値データベースと付与手段とが設けられ、携帯通信機器の電源スイッチがオン操作され、携帯通信機器が携帯通信機器に搭載されたバッテリーからの電力で待受状態になっていると共に携帯通信機器に搭載されたディスプレイが表示されていない非作動状態になった状態において、ディスプレイが待受状態を表示する作動状態になるようにユーザーが携帯通信機器を操作すると、そのユーザーによる携帯通信機器の操作をきっかけとして携帯通信機器の広告配信を目的とするアプリケーションソフトの働きにより携帯通信機器が広告の配信要求を基地局及び通信網を経由して広告サーバーに送信し、その配信要求に応答する形で広告サーバーが広告を通信網及び基地局を経由して上記携帯通信機器に配信する場合に、広告サーバーの配信手段が対人に対する広告に広告サーバーを示すＵＲＬを入れて配信し、そのＵＲＬを有する広告が上記ユーザーで操作される携帯通信機器に配信されてアウトディスプレイに表示された状態において、そのアウトディスプレイに表示された広告を見た対人が上記ユーザーで操作される携帯通信機器ではない別の携帯通信機器を使用して当該別の携帯通信機器の非接触送受信部と上記ユーザーで操作される携帯通信機器の非接触送受信部とで無線通信を行うことにより、上記別の携帯通信機器の非接触送受信部が上記アウトディスプレイに表示された広告のＵＲＬを取得した後、対人が上記別の携帯通信機器を操作してＵＲＬを含む信号を当該携帯通信機器の通信可能な通信網を経由して広告サーバーに送信すると、上記広告サーバーの付与手段が付加価値データベースから広告配信に対応する特典として上記ユーザーで操作される携帯通信機器のユーザーに与えるのに必要な特典データを上記ユーザーで操作される携帯通信機器のユーザーに対する通信料金を管理する課金サーバーに送信し、課金サーバーが上記特典データに応じて上記ユーザーで操作される携帯通信機器のユーザーに対する通信料金を割り引くことを特徴とする広告配信装置。
【請求項２】
基地局と通信制御機器とからなる通信網と、通信網に接続された広告サーバーと、通信網の基地局及び通信制御機器を介して広告サーバーと通信を行う携帯通信機器とを備え、携帯通信機器にはバッテリーと、当該バッテリーからの電力で動作して通信網の基地局と無線通信を行う無線送受信部と、ユーザーの顔画像を撮影するインカメラと、対人の顔画像を撮影するアウトカメラと、広告サーバーから配信された広告をユーザーに可視化するインディスプレイと、広告サーバーから配信された広告を対人に可視化するアウトディスプレイと、広告配信を目的とするアプリケーションソフトと、当該アプリケーションソフトの働きにより無線送受信部を経由して広告サーバーと携帯通信機器との間で行われる広告配信要求の処理を行う配信要求手段と、非接触送受信部とが設けられ、広告サーバーには携帯通信機器から送信された顔画像からユーザー及び対人の性別や年齢を解析するのに必要なデータが格納された解析データベースと、解析された性別と年齢別ごとに配信するのに必要な広告が格納された年齢別広告データベースと、携帯通信機器から送信された顔画像から解析データベースを利用してユーザー及び対人の性別と年齢とを解析して年齢別広告データベースから上記解析したユーザー及び対人の性別と年齢とに適合する広告を抽出する解析手段と、解析手段で抽出された広告を配信要求の有った携帯通信機器に配信する配信手段と、広告配信に対応する特典を携帯通信機器のユーザーに与えるのに必要な特典データが格納された付加価値データベースと付与手段とが設けられ、携帯通信機器の電源スイッチがオン操作され、携帯通信機器が携帯通信機器に搭載されたバッテリーからの電力で待受状態になっていると共に携帯通信機器に搭載されたディスプレイが表示されていない非作動状態になった状態において、上記携帯通信機器の加速度が一定値以上になり、マイクで集音された音声がアプリケーションソフトにより広告サーバーに送信され、広告サーバーが携帯通信機器から送信された音声から性別と年齢とを解析し、その解析した性別と年齢とに適合する広告を携帯通信機器に配信する場合に、広告サーバーの配信手段が対人に対する広告に広告サーバーを示すＵＲＬを入れて配信し、そのＵＲＬを有する広告が上記ユーザーで操作される携帯通信機器に配信されてアウトディスプレイに表示された状態において、そのアウトディスプレイに表示された広告を見た対人が上記ユーザーで操作される携帯通信機器ではない別の携帯通信機器を使用して当該別の携帯通信機器の非接触送受信部と上記ユーザーで操作される携帯通信機器の非接触送受信部とで無線通信を行うことにより、上記別の携帯通信機器の非接触送受信部が上記アウトディスプレイに表示された広告のＵＲＬを取得した後、対人が上記別の携帯通信機器を操作してＵＲＬを含む信号を当該携帯通信機器の通信可能な通信網を経由して広告サーバーに送信すると、上記広告サーバーの付与手段が付加価値データベースから広告配信に対応する特典として上記ユーザーで操作される携帯通信機器のユーザーに与えるのに必要な特典データを上記ユーザーで操作される携帯通信機器のユーザーに対する通信料金を管理する課金サーバーに送信し、課金サーバーが上記特典データに応じて上記ユーザーで操作される携帯通信機器のユーザーに対する通信料金を割り引くことを特徴とする広告配信装置。
【請求項３】
ユーザーが携帯通信機器に対しメールを行うための文章作成中のメール文章作成操作中、作成した文章を送信するメール送信操作中、受信したメールの文章を確認するメール確認操作中にあって、広告が広告サーバーから上記操作中の携帯通信機器に配信された場合、当該配信された広告がアプリケーションソフト働きで上記携帯通信機器の記録媒体に記録されることを特徴とする請求項１又は２記載の広告配信装置。
【請求項４】
顔画像から解析した性別と年齢と位置情報から解析した地域との組み合わせ、顔画像から解析した性別と年齢と位置情報から解析した沿線との組み合わせ、顔画像から解析した性別と位置情報から解析した地域との組み合わせ、顔画像から解析した性別と位置情報から解析した沿線との組み合わせ、顔画像から解析した年齢と位置情報から解析した地域との組み合わせ、顔画像から解析した年齢と位置情報から解析した沿線との組み合わせ、顔画像から解析した性別と位置情報から解析した地域と沿線との組み合わせ、顔画像から解析した年齢と位置情報から解析した地域と沿線との組み合わせ、顔画像から解析した年齢だけ、顔画像から解析した性別だけにより、それぞれに適合した広告を配信する場合を切り替える場合には、ユーザーが携帯通信機器に設けられた環境設定時間内に携帯通信機器を操作することにより、アプリケーションソフトが上記ユーザーの操作に対応して切り替えることを特徴とする請求項１又は２記載の広告配信装置。
【請求項５】
携帯通信機器に広告が表示されてからアプリケーションソフトによる表示時間が経過すると、アプリケーションソフトが広告サーバーから携帯通信機器に配信された広告の表示を終了して携帯通信機器をバッテリーからの電力による待受状態に戻すことを特徴とする請求項１又は２記載の広告配信装置。
【発明の詳細な説明】
【技術分野】
【０００１】
本発明は、広告配信装置及びそれに使用する携帯通信機器に関する。
【背景技術】
【０００２】
特許文献１で開示された広告配信装置は、携帯通信機器が広告サーバーに広告配信を受けるユーザー登録とユーザーの属性の登録とを完了した状態において、当該携帯通信機器が当該広告サーバーにアクセスすると、広告サーバーがユーザーの属性に合う広告を上記アクセスの有った携帯通信機器に配信し、携帯通信機器が配信された広告を表示するようになっている。しかしながら、特許文献１で開示された広告配信装置は、ユーザー登録とユーザーの属性の登録とを完了しなければ、広告の配信を受けることができないばかりか、ユーザー登録をしたユーザーのみに広告が配信される構成であるので、ユーザー登録とユーザーの属性の登録とを完了したユーザーに代わって他の人間が当該携帯通信機器を使用した場合、他の人間に適合する広告が配信されないという欠点がある。
【先行技術文献】
【特許文献】
【０００３】
【特許文献１】特開２００１‐３５７０５８号公報
【発明の概要】
【発明が解決しようとする課題】
【０００４】
発明が解決しようとする課題は、配信した広告の効果を向上させることができないということである。
【課題を解決するための手段】
【０００５】
本発明は、基地局と通信制御機器とからなる通信網と、通信網に接続された広告サーバーと、通信網の基地局及び通信制御機器を介して広告サーバーと通信を行う携帯通信機器とを備え、携帯通信機器にはバッテリーと、当該バッテリーからの電力で動作して通信網の基地局と無線通信を行う無線送受信部と、ユーザーの顔画像を撮影するインカメラと、対人の顔画像を撮影するアウトカメラと、広告サーバーから配信された広告をユーザーに可視化するインディスプレイと、広告サーバーから配信された広告を対人に可視化するアウトディスプレイと、広告配信を目的とするアプリケーションソフトと、当該アプリケーションソフトの働きにより無線送受信部を経由して広告サーバーと携帯通信機器との間で行われる広告配信要求の処理を行う配信要求手段と、非接触送受信部とが設けられ、広告サーバーには携帯通信機器から送信された顔画像からユーザー及び対人の性別や年齢を解析するのに必要なデータが格納された解析データベースと、解析された性別と年齢別ごとに配信するのに必要な広告が格納された年齢別広告データベースと、携帯通信機器から送信された顔画像から解析データベースを利用してユーザー及び対人の性別と年齢とを解析して年齢別広告データベースから上記解析したユーザー及び対人の性別と年齢とに適合する広告を抽出する解析手段と、解析手段で抽出された広告を配信要求の有った携帯通信機器に配信する配信手段と、広告配信に対応する特典を携帯通信機器のユーザーに与えるのに必要な特典データが格納された付加価値データベースと付与手段とが設けられ、携帯通信機器の電源スイッチがオン操作され、携帯通信機器が携帯通信機器に搭載されたバッテリーからの電力で待受状態になっていると共に携帯通信機器に搭載されたディスプレイが表示されていない非作動状態になった状態において、ディスプレイが待受状態を表示する作動状態になるようにユーザーが携帯通信機器を操作すると、そのユーザーによる携帯通信機器の操作をきっかけとして携帯通信機器の広告配信を目的とするアプリケーションソフトの働きにより携帯通信機器が広告の配信要求を基地局及び通信網を経由して広告サーバーに送信し、その配信要求に応答する形で広告サーバーが広告を通信網及び基地局を経由して上記携帯通信機器に配信する場合に、広告サーバーの配信手段が対人に対する広告に広告サーバーを示すＵＲＬを入れて配信し、そのＵＲＬを有する広告が上記ユーザーで操作される携帯通信機器に配信されてアウトディスプレイに表示された状態において、そのアウトディスプレイに表示された広告を見た対人が上記ユーザーで操作される携帯通信機器ではない別の携帯通信機器を使用して当該別の携帯通信機器の非接触送受信部と上記ユーザーで操作される携帯通信機器の非接触送受信部とで無線通信を行うことにより、上記別の携帯通信機器の非接触送受信部が上記アウトディスプレイに表示された広告のＵＲＬを取得した後、対人が上記別の携帯通信機器を操作してＵＲＬを含む信号を当該携帯通信機器の通信可能な通信網を経由して広告サーバーに送信すると、上記広告サーバーの付与手段が付加価値データベースから広告配信に対応する特典として上記ユーザーで操作される携帯通信機器のユーザーに与えるのに必要な特典データを上記ユーザーで操作される携帯通信機器のユーザーに対する通信料金を管理する課金サーバーに送信し、課金サーバーが上記特典データに応じて上記ユーザーで操作される携帯通信機器のユーザーに対する通信料金を割り引くことを特徴とするか、又は、基地局と通信制御機器とからなる通信網と、通信網に接続された広告サーバーと、通信網の基地局及び通信制御機器を介して広告サーバーと通信を行う携帯通信機器とを備え、携帯通信機器にはバッテリーと、当該バッテリーからの電力で動作して通信網の基地局と無線通信を行う無線送受信部と、ユーザーの顔画像を撮影するインカメラと、対人の顔画像を撮影するアウトカメラと、広告サーバーから配信された広告をユーザーに可視化するインディスプレイと、広告サーバーから配信された広告を対人に可視化するアウトディスプレイと、広告配信を目的とするアプリケーションソフトと、当該アプリケーションソフトの働きにより無線送受信部を経由して広告サーバーと携帯通信機器との間で行われる広告配信要求の処理を行う配信要求手段と、非接触送受信部とが設けられ、広告サーバーには携帯通信機器から送信された顔画像からユーザー及び対人の性別や年齢を解析するのに必要なデータが格納された解析データベースと、解析された性別と年齢別ごとに配信するのに必要な広告が格納された年齢別広告データベースと、携帯通信機器から送信された顔画像から解析データベースを利用してユーザー及び対人の性別と年齢とを解析して年齢別広告データベースから上記解析したユーザー及び対人の性別と年齢とに適合する広告を抽出する解析手段と、解析手段で抽出された広告を配信要求の有った携帯通信機器に配信する配信手段と、広告配信に対応する特典を携帯通信機器のユーザーに与えるのに必要な特典データが格納された付加価値データベースと付与手段とが設けられ、携帯通信機器の電源スイッチがオン操作され、携帯通信機器が携帯通信機器に搭載されたバッテリーからの電力で待受状態になっていると共に携帯通信機器に搭載されたディスプレイが表示されていない非作動状態になった状態において、上記携帯通信機器の加速度が一定値以上になり、マイクで集音された音声がアプリケーションソフトにより広告サーバーに送信され、広告サーバーが携帯通信機器から送信された音声から性別と年齢とを解析し、その解析した性別と年齢とに適合する広告を携帯通信機器に配信する場合に、広告サーバーの配信手段が対人に対する広告に広告サーバーを示すＵＲＬを入れて配信し、そのＵＲＬを有する広告が上記ユーザーで操作される携帯通信機器に配信されてアウトディスプレイに表示された状態において、そのアウトディスプレイに表示された広告を見た対人が上記ユーザーで操作される携帯通信機器ではない別の携帯通信機器を使用して当該別の携帯通信機器の非接触送受信部と上記ユーザーで操作される携帯通信機器の非接触送受信部とで無線通信を行うことにより、上記別の携帯通信機器の非接触送受信部が上記アウトディスプレイに表示された広告のＵＲＬを取得した後、対人が上記別の携帯通信機器を操作してＵＲＬを含む信号を当該携帯通信機器の通信可能な通信網を経由して広告サーバーに送信すると、上記広告サーバーの付与手段が付加価値データベースから広告配信に対応する特典として上記ユーザーで操作される携帯通信機器のユーザーに与えるのに必要な特典データを上記ユーザーで操作される携帯通信機器のユーザーに対する通信料金を管理する課金サーバーに送信し、課金サーバーが上記特典データに応じて上記ユーザーで操作される携帯通信機器のユーザーに対する通信料金を割り引くことを特徴とする。
【発明の効果】
【０００６】
本発明に係る広告配信装置及びそれに使用する携帯通信機器は、配信した広告の効果を向上することができるという効果を奏する。
【図面の簡単な説明】
【０００７】
【図１】Ａ図は実施の形態１の広告配信装置を示すブロック図、Ｂ図はＡ図の広告配信装置の広告配信を示すフローチャート。
【図２】実施の形態１の携帯通信機器を示すブロック図。
【図３】実施の形態１の携帯通信機器示す正面側の斜視図。
【図４】実施の形態１の携帯通信機器示す背面側の斜視図。
【図５】実施の形態１の広告サーバーを示すブロック図。
【図６】実施の形態１の解析データベースを示す図表。
【図７】実施の形態１の年齢別広告データベースを示す図表。
【図８】実施の形態１の地域別広告データベースを示す図表。
【図９】実施の形態１の沿線別広告データベースを示す図表。
【図１０】実施の形態１の事前申込を示すフローチャート。
【図１１】実施の形態１の広告の自分用表示を示すフローチャート。
【図１２】実施の形態１の広告の対人用表示を示すフローチャート。
【図１３】実施の形態１の広告の自分用と対人用との表示を示すフローチャート。
【図１４】実施の形態１のメールをきっかけとする広告の自分用表示を示すフローチャート。
【図１５】実施の形態の配信された広告の保存を示すフローチャート。
【図１６】実施の形態２の携帯通信機器を示すブロック図。
【図１７】実施の形態２の解析データベースを示す図表。
【図１８】実施の形態２の広告の自分用表示を示すフローチャート。
【図１９】実施の形態２の広告の対人用表示を示すフローチャート。
【図２０】実施の形態２の広告の自分用と対人用との表示を示すフローチャート。
【図２１】実施の形態２のメールをきっかけとする広告の自分用表示を示すフローチャート。
【図２２】実施の形態３の携帯通信機器示す正面側の斜視図。
【図２３】実施の形態３の携帯通信機器示す背面側の斜視図。
【図２４】実施の形態４の携帯通信機器示す背面側の斜視図。
【図２５】実施の形態５の携帯通信機器示す背面側の斜視図。
【発明を実施するための形態】
【０００８】
「実施の形態１」
図１のＡ図を参照し、実施の形態１に係る広告配信装置１について説明する。広告配信
装置１は、通信網２、複数の基地局３；４、通信制御機器５、広告サーバー６、課金サーバー７、携帯通信機器８；９を備える。そして、携帯通信機器８又は携帯通信機器９の電源スイッチがオン操作され、携帯通信機器８又は携帯通信機器９が携帯通信機器８又は携帯通信機器９に搭載されたバッテリーからの電力で待受状態になっている状態において、ユーザーが携帯通信機器８又は携帯通信機器９を操作すると、そのユーザーによる携帯通信機器８又は携帯通信機器９の操作をきっかけとして携帯通信機器８又は携帯通信機器９に搭載される広告配信を目的とするアプリケーションソフトの働きにより携帯通信機器８又は携帯通信機器９が広告の配信要求を基地局３及び通信網２を経由して広告サーバー６に送信し、その配信要求に応答する形で広告サーバー６が携帯通信機器８又は携帯通信機器９のユーザーや携帯通信機器８又は携帯通信機器９の周囲に存在するユーザー以外の対人に対して広告を通信網２及び基地局３又は基地局４を経由して配信する。そして、この配信により配信された広告が携帯通信機器８又は携帯通信機器９の表示装置に表示される。よって、ユーザー又は対人が携帯通信機器８又は携帯通信機器９の表示装置に表示された広告を見ることにより広告内容を確認することができるので広告の効果を向上させることができる。なお、本明細書における「ユーザー」とは携帯通信機器８又は携帯通信機器９の所有者であり、使用者のことである。また、本明細書における「対人」とは、ユーザーとは異なる１人以上の人間のことであって、ユーザーが使用する携帯通信機器８又は携帯通信機器９のアウトディスプレイ２０（図２参照）に表示される広告を見ることができる人である。さらに、本明細書における「アプリケーションソフト」とは、図１のＡ図に示す広告サーバー６から携帯通信機器８又は携帯通信機器９へ配信される広告を携帯通信機器８又は携帯通信機器９に搭載されるディスプレイに表示するためのプログラムソフトであり、広告サーバー６への広告配信の事前申込、広告サーバー６への広告配信要求、更には配信された広告を携帯通信機器８又は携帯通信機器９のディスプレイに表示するための機能などを備えたソフトである。
【０００９】
通信網２は、１つの通信事業者で運営される１つの通信網で構成される場合と、複数種の通信事業者で運営される２つ以上の通信網で構成される場合とがある。この明細書では、通信網２は１つの通信事業者で運営される１つの通信網を意味し、その１つの通信事業ではない別の通信事業者が運営する通信網を意味する場合は「他の通信網」と表現する。広告サーバー６は、１つの広告配信事業者に運営される１つの広告サーバーで構成される場合と、複数種の広告配信事業者に運営される２つ以上の広告サーバーで構成される場合とがある。広告サーバー６が複数の場合、広告サーバー６のそれぞれには、互いに異なる広告サーバー６を特定するための電話番号又は機器ＩＤのような機器番号又はＵＲＬのような特定情報が付与されている。ここで、ＵＲＬは、Uniform Resource Locatorの略号であって、インターネット上のリソース（資源）を特定するための記号である。また、ＩＤは、Identificationの略語であって、機器又はユーザー毎に付される機器又はユーザーを特定するための特有の情報である。図１（Ａ）に戻って、広告サーバー６が複数の場合、複数の広告サーバー６が通信網２と他の通信網とにそれぞれ接続される場合もある。課金サーバー７は、各携帯通信機器８；９のユーザーから発信した場合の通信料金や広告の配信で発生する通信料金を管理するものであって、通信網２と他の通信網ごとに設けられる。基地局３；４、通信制御機器５、広告サーバー６、課金サーバー７は、位置の移動しない定置された機器であるので、当該定置された場所における電源から電力の供給を受けて作動する構成になっている。
【００１０】
携帯通信機器８；９は、通信網２による通信サービスに正規に加入している携帯通信端末を例示し、それぞれに搭載されたバッテリーからの電力で基地局３；４と無線通信を行うものであって、次の２つの構成が考えられる。その１つはデータ通信機能だけを備えた構成、もう１つは通話機能とデータ通信機能とを併有した構成である。通話機能は、音声により通話する機能であり、例えば、一方の通話者が「もしもし」という言葉を発するのに対し、他方の通話者が「はいはい」という言葉で応じて会話することができる機能である。データ通信機能は、文字や記号あるいは画像（静止画像、動画像、またはそれら両方の画像）を双方向に送受信する機能である。基地局３；４や携帯通信機器８；９は、２個に限定されるものではなく、３個以上であってもよい。携帯通信機器８；９が基地局３の通信可能なエリアに存在している場合、携帯通信機器８；９が基地局４の通信可能なエリアに存在している場合、携帯通信機器８が基地局３の通信可能なエリアに存在し、携帯通信機器９が基地局４の通信可能なエリアに存在している場合がある。
【００１１】
例えば、携帯通信機器８が基地局３の通信可能なエリアに存在している場合において、ユーザーが携帯通信機器８を発信操作し、携帯通信機器８が発信情報を発信すると、無線パス設定、位置登録エリア確認、接続の各処理によって、携帯通信機器８が接続先の機器と通信を行うようになっている。無線パス設定の処理では、携帯通信機器８と通信制御機器５との間に基地局３を経由する通信路が設定される。位置登録エリア確認の処理では、通信制御機器５が携帯通信機器８から送信された接続先の機器の位置登録エリアを確認する。接続の処理では、通信制御機器５が携帯通信機器８と接続先の機器とを通信可能に接続する。上記接続先の機器としては、広告サーバー６又は携帯通信機器９又は他の通信網による通信サービスに正規に加入している携帯通信機器又は他の通信網による通信サービスに正規に加入している固定通信機器である。
【００１２】
また、携帯通信機器９が基地局４の通信可能なエリアに存在している場合において、ユーザーが携帯通信機器９を発信操作し、携帯通信機器９が発信情報を発信すると、無線パス設定、位置登録エリア確認、接続の各処理によって、携帯通信機器９が接続先の機器と通信を行うようになっている。無線パス設定の処理では、携帯通信機器９と通信制御機器５との間に基地局４を経由する通信路が設定される。位置登録エリア確認の処理では、通信制御機器５が携帯通信機器９から送信された接続先の機器の位置登録エリアを確認する。接続の処理では、通信制御機器５が携帯通信機器９と接続先の機器とを通信可能に接続する。上記接続先の機器としては、広告サーバー６又は携帯通信機器８又は他の通信網による通信サービスに正規に加入している携帯通信機器又は他の通信網による通信サービスに正規に加入している固定通信機器である。
【００１３】
図１のＢ図を参照し、広告サーバー６と携帯通信機器８との間で行われる広告配信を目的とするアプリケーションソフトが携帯通信機器８に搭載された書き込み消去可能なＲＯＭに格納されており、携帯通信機器８が基地局３の通信可能なエリアに存在している場合において、広告サーバー６と携帯通信機器８との間で行われる広告配信の処理について説明する。先ず、携帯通信機器８の電源スイッチがオン操作され、携帯通信機器８が携帯通信機器８に搭載されたバッテリーからの電力で待受状態になっていると共に携帯通信機器８に搭載されたディスプレイが表示されていない非作動状態になっている。
【００１４】
上記ディスプレイの非作動状態において、ステップ１０１に示すように、ユーザーが携帯通信機器８のディスプレイが待受状態を表示する作動状態になるように携帯通信機器８を操作する。この操作は、例えば、携帯通信機器８のキーを押したり、キーロックを解除したりするなどの操作である。そのユーザーによる携帯通信機器８の操作をきっかけとして、アプリケーションソフトが作動し、そのアプリケーションソフトにより携帯通信機器８が広告の配信要求を広告サーバー６に送信する。
【００１５】
アプリケーションソフトによる携帯通信機器８から広告サーバー６に送信される広告の配信要求としては、携帯通信機器８を操作するユーザーのみに対して行う自分用、携帯通信機器８の周囲に存在するユーザー以外の対人のみに対して行う対人用、携帯通信機器８を操作するユーザーと携帯通信機器８の周囲に存在するユーザー以外の対人とに対して行う自分用及び対人用とがあるが、それぞれについては図１１乃至図１４で説明する。
【００１６】
上記携帯通信機器８から広告サーバー６に送信される広告の配信要求について説明すると、先ず、携帯通信機器８と通信制御機器５との間に基地局３を経由する無線パス設定の処理が行われる。つまり、携帯通信機器８が発信情報を発信し、その発信情報が基地局３、通信網２を経由して通信制御機器５に送信されると、通信制御機器５が携帯通信機器８と通信制御機器５との間に基地局３を経由する無線チャネルを確立する。その無線チャネルを使用して携帯通信機器８がサービス要求情報を発信する。
【００１７】
サービス要求情報は、携帯通信機器８から広告サーバー６に対して、どのようなサービスをしてほしいかという要求を伝えるものであって、送信元特定情報、接続先特定情報、通信種類情報、通信速度情報を含んでいる。送信元特定情報は、携帯通信機器８の電話番号又は機器ＩＤのような機器番号である。接続先特定情報は、広告サーバー６の電話番号又は機器ＩＤのような機器番号又はＵＲＬである。通信種類情報は、音声通信なのかデータ通信なのかという通信の種類を示す情報である。通信速度情報は、通信速度を示す情報である。このサービス要求情報が基地局３を経由して通信制御機器５に送信されると、通信制御機器５がユーザー認証を行う。ユーザー認証は、送信してきた発信情報に付随するユーザー特有の情報、例えば、個々のユーザーに割り当てられているＩＤやパスワードを確認する処理であり、ユーザーが通信網２による通信サービスを受けることができる正規に加入しているユーザー、すなわち、通信網２を運営する通信事業者に対し正式な手続きをとって通信制御機器５に記録され通信事業者から提供されるサービスを受けることができるユーザーか、正規に加入していないユーザー、すなわち、通信制御機器５に記録されておらず通信事業者から提供されるサービスを受けることができないユーザーかを判断する処理である。
【００１８】
このユーザー認証において、正規に加入しているユーザーでないと判断した場合は、通信制御機器５が無線パス設定のそれ以降の処理を何もせずそのまま終了する。他方、正規に加入しているユーザーと判断した場合は、送信元特定情報である携帯通信機器８の電話番号又は機器番号を確認する。そして、通信制御機器５が電話番号又は機器番号が正規の番号ではないと判断した場合、つまり、電話番号又は機器番号が通信制御機器５に記録されていない場合は無線パス設定のそれ以降の処理を何もせずそのまま終了する。他方、通信制御機器５が電話番号又は機器番号が正規の番号であると判断した場合には、通信制御機器５がデータ暗号化方式の種別を指定した信号を基地局３を経由して携帯通信機器８に送信する。このデータ暗号化方式の種別を指定した信号を受信した携帯通信機器８は、暗号化した呼設定要求信号を基地局３を経由して通信制御機器５に送信する。これにより、通信制御機器５と携帯通信機器８との間に基地局３を経由する無線パスが設定され、無線パス設定の処理が終了する。
【００１９】
無線パス設定の処理が終了すると、通信制御機器５が位置登録エリア確認の処理を行う。しかしながら、接続先が携帯通信機器８ではなく、位置の移動しない定置された広告サーバー６である場合には、ホームロケーションレジスタを利用した位置登録エリアを確認する必要がないので、通信制御機器５のデータベースには広告サーバー６を示す接続先特定情報が予め格納されており、携帯通信機器８から送信された接続先特定情報が上記データベースに格納されていることを通信制御機器５が確認することにより、位置登録エリア確認の処理が終了する。
【００２０】
位置登録エリア確認の処理が終了すると、通信制御機器５が接続の処理を行う。この接続の処理により、通信制御機器５が携帯通信機器８と広告サーバー６とを通信可能に接続し、携帯通信機器８から広告サーバー６に送信される広告の配信要求の手順が終了する。
【００２１】
上記携帯通信機器８から広告サーバー６に送信される広告の配信要求が終了すると、図１のＢ図のステップ１０２に示すように、広告サーバー６が携帯通信機器８からの配信要求に合った広告を広告サーバー６の広告データベースから抽出して配信要求の有った携帯通信機器８に配信する。この広告サーバー６から携帯通信機器８への広告の配信の終了を通信制御機器５が確認すると、通信制御機器５が通信の切断の処理を行う。この切断の処理により、通信制御機器５が携帯通信機器８と広告サーバー６とを通信不可能にする。
【００２２】
上記広告サーバー６から配信された広告を受信した携帯通信機器８は、図１のＢ図のステップ１０３に示すように、携帯通信機器８が広告サーバー６から配信された広告を携帯通信機器８のディスプレイに表示する。アプリケーションソフトによる携帯通信機器８のディスプレイへの表示としては、携帯通信機器８を操作するユーザーのみに対して行う自分用、携帯通信機器８の周囲に存在するユーザー以外の人のみに対して行う対人用、携帯通信機器８を操作するユーザーと携帯通信機器８の周囲に存在するユーザー以外の人とに対して行う自分用及び対人用とがあるが、それぞれについては図１１乃至図１４で説明する。
【００２３】
携帯通信機器８と広告サーバー６との間で行われる広告の配信で発生する通信料金については、通信網２を運営する通信事業者と広告サーバー６を運営する広告配信事業者との契約により、例えば、通信料金を広告の配信要求を行った携帯通信機器８に課金せずに広告サーバー６を運営する広告配信事業者に課金するように決めておけば、広告の配信で発生する通信料金が携帯通信機器８のユーザーに請求されることなく広告サーバー６を運営する広告配信事業者に請求される。このような契約が成立している場合、通信制御機器５が前記携帯通信機器８と広告サーバー６とを通信可能に接続した接続開始時から前記携帯通信機器８と広告サーバー６とを通信不可能に切断した切断開始時までの期間をカウントし、そのカウント値を広告の配信で発生する通信時間として通信制御機器５が課金サーバー７に送信する。
【００２４】
それにより、課金サーバー７は、通信制御機器５から送信されたカウント値に単位時間あたりの通信単価を乗算し、その積と上記カウント値と上記通信単価と上記カウント値に通信単価を乗算した式と日時とを日時ごとに分けて併記した一覧表の形式の課金データとして課金サーバー７内に記録する。その後、通信網２を運営する通信事業者と広告サーバー６を運営する広告配信事業者との契約により取り決めした決算日時ごとに、通信制御機器５が課金サーバー７から上記一覧表の形式で格納された課金データを受け取る。この通信制御機器５が受け取った課金データに基づき、通信網２を運営する通信事業者が広告サーバー６を運営する広告配信事業者に広告の配信で発生する通信料金の請求を行い、この請求に基づき、広告サーバー６を運営する広告配信事業者が通信網２を運営する通信事業者に広告の配信で発生する通信料金を支払う。
【００２５】
なお、広告サーバー６と携帯通信機器９との間で行われる広告配信については、上記図１のＢ図を参照した説明において、携帯通信機器８を携帯通信機器９と読み替え、基地局３を基地局４と読み替えればよい。
【００２６】
また、携帯通信機器８と携帯通信機器９との間で行われる通信、他の通信網による通信サービスに正規に加入している携帯通信機器又は他の通信網による通信サービスに正規に加入している固定通信機器と携帯通信機器８又は携帯通信機器９との間で行われる通信については、携帯通信機器８と携帯通信機器９とが１つの通信網２による通信サービスに正規に加入していることから、例えば、携帯通信機器８から携帯通信機器９に通信を要求する場合も、携帯通信機器９から携帯通信機器８に通信を要求する場合も、公知の携帯通信で行われる無線パス設定、位置登録エリア確認、接続、切断の各処理により行われるようになっている。
【００２７】
以下の図２乃至図１５の説明では、携帯通信機器８を用いた場合を例として説明する。
【００２８】
図２を参照し、実施の形態１に係る携帯通信機器８の構成について説明する。携帯通信機器８は、携帯容器１１に、無線送受信部１２、測位受信部１３、非接触送受信部１４、バッテリー１５、マイク１６、スピーカー１７、キーボード１８、インディスプレイ１９、アウトディスプレイ２０、インカメラ２１、アウトカメラ２２、不揮発性メモリー２３、バッファ２４、制御部２５を備える。
【００２９】
無線送受信部１２は、携帯通信機器８のキーボード１８に設置された図外の電源スイッチがオンされて、バッテリー１５からの電力で動作した制御部２５の制御により図１の基地局３と無線通信を行うものであって、データ通信機能だけを備えた構成、通話機能とデータ通信機能とを併有した構成が考えられる。
【００３０】
図２に戻り、測位受信部１３は、図外の測位衛星からの衛星信号を受信して携帯通信機器８の位置情報を作成するものであって、携帯通信機器８の位置情報としての「緯度」及び「経度」を検出するＧＰＳセンサーを構成する。非接触送受信部１４は、赤外線、ブルートゥース（登録商標）、フェリカ（登録商標）、Ｗｉ‐Ｆｉ（登録商標）を利用した近距離無線通信により情報をやり取りするものである。マイク１６は、音声や音を集音して電気信号に変換して出力する機器である。スピーカー１７は、電気信号を音声や音に変換して出力する機器である。キーボード１８は、制御部２５の入力機器を構成する多数のキーを備える。多数のキーとしては、置数キー、電源スイッチ、発信スイッチ、ファンクションキーなどである。
【００３１】
インディスプレイ１９は、携帯通信機器８を操作するユーザーに制御部２５の出力情報を可視化するための出力機器を構成する。アウトディスプレイ２０は、携帯通信機器８の周囲に存在するユーザー以外の対人に制御部２５の出力情報を可視化するための出力機器を構成する。
【００３２】
インカメラ２１は、携帯通信機器８を操作するユーザーの少なくとも顔を含むように撮影した顔画像を制御部２５へ入力するための機器を構成し、デジタルカメラにより構成される。アウトカメラ２２は、携帯通信機器８の周囲に存在するユーザー以外の対人の少なくとも顔を含むように撮影した顔画像を制御部２５へ入力するための機器を構成し、デジタルカメラにより構成される。バッテリー１５は、携帯通信機器８の各電気部品に直流の電力を供給するバッテリーである。
【００３３】
不揮発性メモリー２３及びバッファ２４は、広告を記録する記録媒体である。実施の形態１では、不揮発性メモリー２３には、図１の広告サーバー６から携帯通信機器８に配信された広告がユーザーの操作をきっかけとするアプリケーションソフト２９の働きで記録される。ユーザーが携帯通信機器８を例えばメールを行うための文章作成中のメール文章作成操作中、作成した文章を送信するメール送信操作中、受信したメールの文章を確認するメール確認操作中、それ以外の操作中において、広告が図１の広告サーバー６から携帯通信機器８に配信された場合、上記ユーザーによる携帯通信機器８に対する操作が継続するように、上記広告サーバー６から携帯通信機器８に配信された広告がバッファ２４にユーザーの記録するための操作をきっかけとすることなくアプリケーションソフト２９のみの働きで記録される。つまり、ユーザーが記録するための操作を行うことなく、上記広告が広告サーバー６から携帯通信機器８に配信されるのに伴ってバッファ２４に記録される。
【００３４】
制御部２５は、ＣＰＵ２６、ＲＯＭ２７、ＲＡＭ２８、アプリケーションソフト２９、配信要求手段３０、表示切替手段３１、環境設定手段３２を備える。ＣＰＵ２６は、ＲＯＭ２７に格納されたオペレーティングシステムやアプリケーションソフト２９からなるプログラムにしたがいＲＡＭ２８に記憶されている情報を使用しながら動作して携帯通信機器８の各電気部品の動作を制御するものである。アプリケーションソフト２９、配信要求手段３０、表示切替手段３１、環境設定手段３２は、ＣＰＵ２６の動作で具現化される。
【００３５】
アプリケーションソフト２９は、広告サーバー６と携帯通信機器８との間で行われる広告配信を目的とするソフトウエアであって、ＲＯＭ２７のうちで書き込み消去可能なＲＯＭで構成された部分に、携帯通信機器８の製造段階で格納されるか又は携帯通信機器８の製造後における図１の広告サーバー６からのダウンロードで格納される。例えば、広告配信を受けるユーザーが携帯通信機器８を使用して広告配信を受けるという申し込みと共に携帯通信機器８の電話番号又は機器番号を広告サーバー６に通知することにより、アプリケーションソフト２９が広告サーバー６から携帯通信機器８にダウンロードされる。
【００３６】
図２に戻り、配信要求手段３０は、アプリケーションソフト２９の働きにより無線送受信部１２を経由して図１の広告サーバー６と携帯通信機器８との間で行われる広告配信要求の処理を行う。表示切替手段３１は、アプリケーションソフト２９の働きにより図１の広告サーバー６から配信された広告をインディスプレイ１９又はアウトディスプレイ２０にどのように表示するかを切り替える処理を行う。環境設定手段３２は、ユーザーの操作にしたがって、アプリケーションソフト２９の働きにより携帯通信機器８から広告サーバー６に送信される広告の配信要求を自分用、対人用、自分用及び対人用の何れかに設定する処理を行う。
【００３７】
図３及び図４を参照し、実施の形態１に係る携帯通信機器８の機構的な構造ついて説明する。図３において、携帯容器１１としては、折り畳みの不可能なストレートタイプ又はタブレットタイプ又は引き出し可能なスライドタイプでもよいが、２つに折り畳み可能な折り畳みタイプを例示した。つまり、携帯容器１１は、一方の容器３５と他方の容器３６とがヒンジ３７を中心として２つに向かい合わせに折り畳めるようになっている。一方の容器３５には、マイク１６、キーボード１８、集音孔３８が設けられる。キーボード１８における多数のキーが、一方の容器３５の他方の容器３６と向き合う面の側で操作し得るように配置される。集音孔３８は、一方の容器３５の他方の容器３６と向き合う面に配置される。他方の容器３６には、スピーカー１７、インディスプレイ１９、インカメラ２１、撮影孔３９、放音孔４０が設けられる。インディスプレイ１９の表示画面が、他方の容器３６の一方の容器３５と向き合う面の側で容器３５と容器３６とが開いた状態時に可視化し得るように配置される。放音孔４０は、他方の容器３６の一方の容器３５と向き合う面に配置される。とりわけ、インカメラ２１用の撮影孔３９が他方の容器３６の一方の容器３５と向き合う面の側でかつヒンジ３７から離れた端部の側に設けられているので、図３に示すようにユーザーが最大に開かれた一方の容器３５を一方の掌で持った場合、撮影孔３９がユーザーの顔と対向し、インカメラ２１がユーザーの顔画像を適切に撮影できる。
【００３８】
図４において、他方の容器３６には、アウトディスプレイ２０、アウトカメラ２２、撮影孔４１が設けられる。アウトディスプレイ２０の表示画面が、他方の容器３６の一方の容器３５と向き合わない背面の側で可視化し得るように配置される。撮影孔４１は、他方の容器３６の一方の容器３５と向き合わない背面に配置される。アウトカメラ２２用の撮影孔４１が他方の容器３６の一方の容器３５と向き合わない背面の側でかつヒンジ３７から離れた端部の側に設けられたので、図４に示すようにユーザーが最大に開かれた一方の容器３５を一方の掌で持った場合、撮影孔４１が対人の顔と対向し、アウトカメラ２２が対人の顔画像を適切に撮影できる。
【００３９】
図３及び図４に示す一方の容器３５と他方の容器３６とが互いに最大に開かれた場合の開き角度θは、鈍角であるが、図３に示すようにユーザーが最大に開かれた一方の容器３５を一方の掌で持った状態においてキーボード１８を操作し易くかつインディスプレイ１９の表示画面を見易くかつインカメラ２１が撮影孔３９を通してユーザーの顔画像を撮影し易く、さらに図４に示すアウトディスプレイ２０の表示画面が対人から見易くかつアウトカメラ２２が撮影孔４１を通して対人の顔画像を撮影し易い角度になっている。また、図４のアウトディスプレイ２０の表示画面が図３のインディスプレイ１９の表示画面と同じ大きさか又はインディスプレイ１９の表示画面よりも大きいので、アウトディスプレイ２０に表示された広告が見やすくなる。
【００４０】
図３及び図４には図示していないが、図２の無線送受信部１２、測位受信部１３、バッテリー１５、不揮発性メモリー２３、バッファ２４、制御部２５などの電気部品は図３及び図４の一方の容器３５の内部及び他方の容器３６の内部に収容されている。
【００４１】
図５を参照し、実施の形態１に係る広告サーバー６の構成について説明する。広告サーバー６は、操作部４５、ディスプレイ４６、解析データベース４７、年齢別広告データベース４８、地域別広告データベース４９、沿線別広告データベース５０、付加価値データベース５１、制御部５２を備える。操作部４５は、人の操作で入力信号を制御部５２に入力する入力機器であって、パソコンのキーボードのようなものである。ディスプレイ４６は、広告サーバー６を操作する人に制御部５２の出力情報を可視化するための出力機器を構成する。解析データベース４７には、図２の携帯通信機器８のインカメラ２１で撮影されたユーザーの顔画像からユーザーの性別や年齢を解析したり、図２の携帯通信機器８のアウトカメラ２２で撮影された対人の顔画像から対人の性別や年齢を解析したり、図２の携帯通信機器８の測位受信部１３で取得した位置情報又は図１の基地局３から取得した位置エリア情報から都道府県又は市町村などの特定の地域や鉄道やバスなどの路線における沿線を解析したりするのに必要なデータが格納されている。
【００４２】
図５において、年齢別広告データベース４８には、解析されたユーザーや対人の性別と年齢別ごとに配信するのに必要な広告が格納されている。地域別広告データベース４９には、解析された地域ごとに配信するのに必要な広告が格納されている。沿線別広告データベース５０には、解析された沿線ごとに配信するのに必要な広告が格納されている。これらの広告データとしては、文字データだけの形態、画像データだけの形態、文字データと画像データとからなる形態が考えられる。付加価値データベース５１には、広告配信に対応する特典を図２の携帯通信機器８のユーザーに与えるのに必要な特典データが格納されている。なお、解析データベース４７については図６で詳述し、年齢別広告データベース４８については図７で詳述し、地域別広告データベース４９についは図８で詳述し、沿線別広告データベース５０ついては図９で詳述する。
【００４３】
図５に戻り、制御部５２は、ＣＰＵ５３、ＲＯＭ５４、ＲＡＭ５５、解析手段５６、配信手段５７、付与手段５８を備える。ＣＰＵ５３は、ＲＯＭ５４に格納されたオペレーティングシステムやアプリケーションソフトからなるプログラムにしたがいＲＡＭ５５に記憶されている情報を使用しながら動作して広告サーバー６の各電気部品の動作を制御するものである。解析手段５６、配信手段５７、付与手段５８は、ＣＰＵ５３の動作で具現化される。
【００４４】
図６を参照し、実施の形態１に係る解析データベース４７について説明する。解析データベース４７は、画像パターンデータベース６１、地域データベース６２、沿線データベース６３を備える。画像パターンデータベース６１は、ユーザーの顔画像からユーザーの性別や年齢を解析したり、対人の顔画像から対人の性別や年齢を解析したりするのに必要なデータベースであって、規範画像と性別と年齢との関係を規定したデータベースとして構築されている。ここで、規範画像とは、解析対象である顔画像の性別や年齢を解析する際に用いる比較のためのベースとなる顔画像である。規範画像と性別と年齢との関係は、多種類の規範画像と性別との関係や多種類の規範画像と年齢との関係を統計的に処理して作成されたものである。
【００４５】
地域データベース６２は、位置情報又は位置エリア情報から特定される位置から地域を解析するに必要なデータベースであって、位置と地域との関係を規定したデータベースとして構築されている。位置と地域との関係は、多種類の位置と地域との関係を統計的に処理して作成されたものである。沿線データベース６３は、位置情報又は位置エリア情報から特定される位置から沿線を解析するに必要なデータベースであって、位置と沿線との関係を規定したデータベースとして構築されている。位置と沿線との関係は、多種類の位置と沿線との関係を統計的に処理して作成されたものである。
【００４６】
図７を参照し、実施の形態１に係る年齢別広告データベース４８について説明する。年齢別広告データベース４８では、多種類の広告が年齢と男性と女性とに区分して格納されている。多種類の広告としては、年齢が１０代の男性に対応する「広告ａ」、年齢が２０代の男性に対応する「広告ｂ」、年齢が３０代の男性に対応する「広告ｃ」、年齢が４０代の男性に対応する「広告ｄ」、年齢が５０代の男性に対応する「広告ｅ」、年齢が６０代の男性に対応する「広告ｆ」、年齢が７０代の男性に対応する「広告ｇ」、年齢が１０代の女性に対応する「広告Ａ」、年齢が２０代の女性に対応する「広告Ｂ」、年齢が３０代の女性に対応する「広告Ｃ」、年齢が４０代の女性に対応する「広告Ｄ」、年齢が５０代の女性に対応する「広告Ｅ」、年齢が６０代の女性に対応する「広告Ｆ」、年齢が７０代の女性に対応する「広告Ｇ」が考えられる。これらの「広告ａ」乃至「広告ｇ」及び「広告Ａ」乃至「広告Ｇ」のそれぞれは１つの広告主による１種類の広告ずつでもよいが、複数種の広告主ごとの複数種の広告のグループになっていてもよい。なお、年齢の区分は、上記に限定されるものではなく、５歳又は１５歳ごと又はそれ以外の種々の区分も考えられる。
【００４７】
図８を参照し、実施の形態１に係る地域別広告データベース４９について説明する。地域別広告データベース４９では、多種類の広告が地域と広告種別とに区分して格納されている。多種類の広告としては、地域が東京都心に対応する「広告イ」及び「広告ロ」、地域が東京都下に対応する「広告ハ」および「広告ニ」、地域が千葉に対応する「広告ホ」及び「広告へ」、地域が埼玉に対応する「広告ト」及び「広告チ」、地域が神奈川に対応する「広告リ」及び「広告ヌ」、地域が茨城に対応する「広告ル」及び「広告オ」、地域が群馬に対応する「広告ワ」及び「広告カ」、地域が栃木に対応する「広告ヨ」及び「広告タ」が考えられる。これらの「広告イ」乃至「広告タ」のそれぞれは１つの広告主による１種類の広告ずつでもよいが、複数種の広告主ごとの複数種の広告のグループになっていてもよい。また、広告種別の左列における「広告イ」「広告ハ」「広告ホ」「広告ト」「広告リ」「広告ル」「広告ワ」「広告ヨ」は例えば飲食店の広告、広告種別の右列における「広告ロ」「広告ニ」「広告へ」「広告チ」「広告ヌ」「広告オ」「広告カ」「広告タ」は洋品店の広告というように、お店の種類で区分されていてもよい。なお、地域の区分は上記に限定されるものではなく、それ以外の地域も考えられる。
【００４８】
図９を参照し、実施の形態１に係る沿線別広告データベース５０について説明する。沿線別広告データベース５０では、多種類の広告が沿線と広告種別とに区分して格納されている。多種類の広告としては、沿線が山手線に対応する「広告あ」及び「広告い」、沿線が京浜東北線に対応する「広告う」および「広告え」、沿線が中央線に対応する「広告お」及び「広告か」、沿線が総武線に対応する「広告き」及び「広告く」、沿線が小田急線に対応する「広告け」及び「広告こ」、沿線が京浜急行線に対応する「広告さ」及び「広告し」、沿線が京王線に対応する「広告す」及び「広告せ」、沿線が井の頭線に対応する「広告そ」及び「広告た」が考えられる。これらの「広告あ」乃至「広告た」のそれぞれは１つの広告主による１種類の広告ずつでもよいが、複数種の広告主ごとの複数種の広告のグループになっていてもよい。また、広告種別の左列における「広告あ」「広告う」「広告お」「広告き」「広告け」「広告さ」「広告す」「広告そ」は例えば上り沿線の広告、広告種別の右列における「広告い」「広告え」「広告か」「広告く」「広告こ」「広告し」「広告せ」「広告た」は下り沿線の広告というように、沿線の上り下りで区分されていてもよい。なお、沿線の区分は、上記に限定されるものではなく、それ以外の沿線も考えられる。
【００４９】
図１０を参照し、実施の形態１に係る広告配信の事前申込の処理について説明する。広告配信の事前申込は、広告配信を受けるユーザーが携帯通信機器８を使用して広告配信を受けるという申し込みの処理であって、広告配信の前提条件として事前申込の必要であることが図２のアプリケーションソフト２９に含まれている場合に行われる。なお、事前申込をアプリケーションソフト２９のダウンロードの条件とすることも考えられる。
【００５０】
図１０のステップ２０１では、携帯通信機器８の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ２０２では、ディスプレイが作動しているかどうかが判断される。ユーザーが携帯通信機器８を操作しなければ、ステップ２０１がＮＯとなり、ステップ２０２に戻る。
【００５１】
逆に、例えば、ユーザーが、携帯通信機器８のキーを押したり、キーロックを解除したりするなど、携帯通信機器８のインディスプレイ１９が待受状態を表示する作動状態になるように携帯通信機器８を操作すると、ステップ２０２がＹＥＳとなり、ステップ２０３に進む。ステップ２０３では、携帯通信機器８がアプリケーションソフト２９の働きによる無線パス設定、位置登録エリア確認、接続の各処理により、広告サーバー６の申込ページにアクセスし、ステップ２０４に進む。
【００５２】
ステップ２０４では、広告サーバー６が上記携帯通信機器８からの申込ページへのアクセスに応答し、広告サーバー６から配信された申込ページが当該申込ページへのアクセスにより広告サーバー６に接続されている携帯通信機器８に送信され、その送信された申込ページが当該携帯通信機器８のインディスプレイ１９に表示され、ステップ２０５に進む。ステップ２０５では、携帯通信機器８のユーザーがインディスプレイ１９に表示されている申込ページに携帯通信機器８のキーボード１８を操作して必要事項を記入し、ステップ２０６に進む。
【００５３】
ステップ２０６では、携帯通信機器８のユーザーが必要事項の記入された申込ページをキーボード１８の操作により広告サーバー６に送信し、ステップ２０７に進む。ステップ２０７では、事前申込が完了しているかどうかが判断される。携帯通信機器８が申込ページを広告サーバー６に送信していなければ、ステップ２０７がＮＯとなり、ステップ２０７に戻る。逆に、携帯通信機器８が申込ページを広告サーバー６に送信していれば、ステップ２０７がＹＥＳとなり、ステップ２０８に進む。ステップ２０８では、広告配信の事前申込を完了したことが携帯通信機器８の不揮発性メモリー２３に保存されるとともにインディスプレイ１９に表示される。これにより、広告配信の事前申込の処理が終了し、インディスプレイ１９及びアウトディスプレイ２０が表示されていない非作動状態に戻り、携帯通信機器８がバッテリーからの電力による待受状態に戻る。
【００５４】
図１１を参照し、実施の形態１に係るインディスプレイ１９の作動をきっかけとする自分用の広告配信の処理について説明する。自分用の広告配信の処理は、図２の携帯通信機器８に格納されたアプリケーションソフト２９の働きにより行われる。図１１のステップ３０１では、携帯通信機器８の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ３０２では、インディスプレイ１９が作動しているかどうかが判断される。ユーザーが携帯通信機器８を操作しなければ、ステップ３０２がＮＯとなり、ステップ３０２に戻る。
【００５５】
逆に、例えば、ユーザーが、携帯通信機器８のキーを押したり、キーロックを解除したりするなど、携帯通信機器８のインディスプレイ１９が待受状態を表示する作動状態になるように携帯通信機器８を操作すると、ステップ３０２がＹＥＳとなり、ステップ３０３に進む。ステップ３０３では、配信要求手段３０が上記携帯通信機器８の操作の開始から環境設定時間に到達するとインカメラ２１を作動する。つまり、配信要求手段３０が上記携帯通信機器８の操作の開始からの経過時間又は経過期間をカウントし、そのカウント値がアプリケーションソフト２９に設定された環境設定時間に到達すると、配信要求手段３０がインカメラ２１を作動し、インカメラ２１が上記携帯通信機器８を操作するユーザーの少なくとも顔を含む顔画像を撮影する。例えば、図３に示す一方の容器３５と他方の容器３６とが互いに最大の開き角度θで開かれ、ユーザーが最大に開かれた一方の容器３５を一方の掌で持った状態においてキーボード１８を操作した場合、撮影孔３９がユーザーの顔に対向しているので、その状態において、インカメラ２１が作動し、インカメラ２１が上記携帯通信機器８を操作するユーザーの少なくとも顔を含む顔画像を撮影することができる。
【００５６】
図１１において、インカメラ２１で撮影された顔画像は、配信要求手段３０によりＲＡＭ２８に記録される。そして、ステップ３０４において、配信要求手段３０がＲＡＭ２８からユーザーの顔画像を抽出して無線送受信部１２を経由して広告サーバー６に送信する。例えば、配信要求手段３０が上記ＲＡＭ２８からユーザーの顔画像を無線送受信部１２に転送すると、無線送受信部１２が転送されたユーザーの顔画像をアプリケーションソフト２９の働きによる無線パス設定、位置登録エリア確認、接続の各処理により広告サーバー６に送信する。これにより、広告サーバー６が携帯通信機器８から送信されたユーザーの顔画像から性別と年齢とを解析し、その解析した性別と年齢とに適合する広告を携帯通信機器８に配信する。
【００５７】
ここで、図５乃至図７を参照し、上記広告サーバー６がユーザーの顔画像から解析した性別と年齢とに適合する広告を携帯通信機器８に配信する処理について説明する。図５において、広告サーバー６が携帯通信機器８から送信されたユーザーの顔画像を受信すると、解析手段５６が受信した顔画像を図６の解析データベース４７における画像パターンデータベース６１を利用して性別と年齢とを解析する。この受信した顔画像から画像パターンデータベース６１を利用して性別と年齢とを解析する手法は、例えば特開平１１−１７５７２４号公報や特開平９−１３４４３２号公報で開示されている手法を使用すればよい。引き続き、図５の解析手段５６が図７の年齢別広告データベース４８から解析した性別と年齢とに適合する広告を抽出する。図７の年齢別広告データベース４８において、例えば、解析した性別が「男性」、解析した年齢が「３０代」の場合、「広告ｃ」が抽出される。また、解析した性別が「女性」、解析した年齢が「２０代」の場合、「広告Ｂ」が抽出される。そして、図５の解析手段５６が年齢別広告データベース４８から抽出した広告を性別と年齢とに適合する広告としてＲＡＭ５５に記録する。その後、配信手段５７がＲＡＭ５５から性別と年齢とに適合する広告を抽出して携帯通信機器８に配信する。
【００５８】
図１１に戻り、携帯通信機器８が広告サーバー６から性別と年齢とに適合する広告の配信を受信すると、ステップ３０５において、アプリケーションソフト２９の働きにより、表示切替手段３１が広告サーバー６から配信された性別と年齢とに適合する広告をインディスプレイ１９に表示する。なお、前記ステップ３０４の携帯通信機器８から広告サーバー６への顔画像の送信開始からステップ３０５の広告サーバー６から携帯通信機器８への広告の配信終了までの期間において、例えばメールの確認や環境設定の確認などのために携帯通信機器８がユーザーで操作されている最中の場合には、表示切替手段３１が広告サーバー６から配信された性別と年齢とに適合する広告を図２のバッファ２４に格納する。そして、上記ユーザーによる携帯通信機器８の操作が終了した後、表示切替手段３１がバッファ２４から性別と年齢とに適合する広告を抽出してインディスプレイ１９に表示し、図１１のステップ３０６に進む。
【００５９】
ステップ３０６では、表示切替手段３１がアプリケーションソフト２９による表示時間が経過しているかどうかを判断する。表示時間が経過していなければ、ステップ３０６がＮＯとなり、ステップ３０６に戻る。逆に、表示時間が経過していれば、ステップ３０６がＹＥＳとなり、ステップ３０７に進む。ステップ３０７では、表示切替手段３１がインディスプレイ１９による広告の表示を終了する。これにより、自分用の広告配信の処理が終了し、インディスプレイ１９及びアウトディスプレイ２０が表示されていない非作動状態に戻り、携帯通信機器８がバッテリーからの電力による待受状態に戻る。
【００６０】
図１２を参照し、実施の形態１に係るインディスプレイ１９の作動をきっかけとする対人用の広告配信の処理について説明する。対人用の広告配信の処理は、図２の携帯通信機器８に格納されたアプリケーションソフト２９により行われる。図１２のステップ４０１では、携帯通信機器８の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ４０２では、インディスプレイ１９が作動しているかどうかが判断される。ユーザーが携帯通信機器８を操作しなければ、ステップ４０２がＮＯとなり、ステップ４０２に戻る。
【００６１】
逆に、例えば、ユーザーが、携帯通信機器８のキーを押したり、キーロックを解除したりするなど、携帯通信機器８のインディスプレイ１９が待受状態を表示する作動状態になるように携帯通信機器８を操作すると、ステップ４０２がＹＥＳとなり、ステップ４０３に進む。ステップ４０３では、配信要求手段３０が上記携帯通信機器８の操作の開始から環境設定時間に到達するとアウトカメラ２２を作動する。つまり、配信要求手段３０が上記携帯通信機器８の操作の開始からの経過時間又は経過期間をカウントし、そのカウント値がアプリケーションソフト２９に設定された環境設定時間に到達すると、配信要求手段３０がアウトカメラ２２を作動し、アウトカメラ２２が上記携帯通信機器８の周囲の対人の少なくとも顔を含む顔画像を撮影する。例えば、図４に示す一方の容器３５と他方の容器３６とが互いに最大の開き角度θで開かれ、ユーザーが最大に開かれた一方の容器３５を一方の掌で持った状態においてキーボード１８を操作した場合、撮影孔４１が対人の顔に対向しているので、その状態において、アウトカメラ２２が作動し、アウトカメラ２２が上記携帯通信機器８の周囲の対人の少なくとも顔を含む顔画像を撮影することができる。
【００６２】
図１２において、アウトカメラ２２で撮影された顔画像は、配信要求手段３０によりＲＡＭ２８に記録される。そして、ステップ４０４において、配信要求手段３０がＲＡＭ２８から対人の顔画像を抽出して無線送受信部１２を経由して広告サーバー６に送信する。例えば、配信要求手段３０が上記ＲＡＭ２８から対人の顔画像を無線送受信部１２に転送すると、無線送受信部１２が転送された対人の顔画像をアプリケーションソフト２９の働きによる無線パス設定、位置登録エリア確認、接続の各処理により広告サーバー６に送信する。これにより、広告サーバー６が携帯通信機器８から送信された対人の顔画像から性別と年齢とを解析し、その解析した性別と年齢とに適合する広告を携帯通信機器８に配信する。この広告サーバー６が対人の顔画像から解析した性別と年齢とに適合する広告を携帯通信機器８に配信する処理は、段落００５７の説明のユーザーを対人と読み替えることにより同じ処理である。
【００６３】
携帯通信機器８が広告サーバー６から性別と年齢とに適合する広告の配信を受信すると、ステップ４０５において、アプリケーションソフト２９の働きにより、表示切替手段３１が広告サーバー６から配信された性別と年齢とに適合する広告をアウトディスプレイ２０に表示する。なお、ステップ４０４の携帯通信機器８から広告サーバー６への顔画像の送信開始からステップ４０５の広告サーバー６から携帯通信機器８への広告の配信終了までの期間において、例えばメールの確認や環境設定の確認などのために携帯通信機器８がユーザーで操作されている最中の場合には、表示切替手段３１が広告サーバー６から配信された性別と年齢とに適合する広告を図２のバッファ２４に格納する。そして、上記ユーザーによる携帯通信機器８の操作が終了した後、表示切替手段３１がバッファ２４から性別と年齢とに適合する広告を抽出してアウトディスプレイ２０に表示し、図１２のステップ４０６に進む。
【００６４】
ステップ４０６では、表示切替手段３１がアプリケーションソフト２９による表示時間が経過しているかどうかを判断する。表示時間が経過していなければ、ステップ４０６がＮＯとなり、ステップ４０６に戻る。逆に、表示時間が経過していれば、ステップ４０６がＹＥＳとなり、ステップ４０７に進む。ステップ４０７では、表示切替手段３１がアウトディスプレイ２０による広告の表示を終了する。これにより、対人用の広告配信の処理が終了し、インディスプレイ１９及びアウトディスプレイ２０が表示されていない非作動状態に戻り、携帯通信機器８がバッテリーからの電力による待受状態に戻る。
【００６５】
図１３を参照し、実施の形態１に係るインディスプレイ１９の作動をきっかけとする自分用と対人用との広告配信の処理について説明する。自分用と対人用との広告配信の処理は、図２の携帯通信機器８に格納されたアプリケーションソフト２９の働きにより行われる。図１３のステップ５０１では、携帯通信機器８の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ５０２では、インディスプレイ１９が作動しているかどうかが判断される。ユーザーが携帯通信機器８を操作しなければ、ステップ５０１がＮＯとなり、ステップ５０２に戻る。
【００６６】
逆に、例えば、ユーザーが、携帯通信機器８のキーを押したり、キーロックを解除したりするなど、携帯通信機器８のインディスプレイ１９が待受状態を表示する作動状態になるように携帯通信機器８を操作すると、ステップ５０２がＹＥＳとなり、ステップ５０３に進む。ステップ５０３では、配信要求手段３０が上記携帯通信機器８の操作の開始から環境設定時間に到達するとインカメラ２１とアウトカメラ２２とを作動する。つまり、配信要求手段３０が上記携帯通信機器８の操作の開始からの経過時間又は経過期間をカウントし、そのカウント値がアプリケーションソフト２９に設定された環境設定時間に到達すると、配信要求手段３０がインカメラ２１とアウトカメラ２２とを作動し、インカメラ２１が上記携帯通信機器８を操作するユーザーの少なくとも顔を含む顔画像を撮影し、アウトカメラ２２が上記携帯通信機器８の周囲の対人の少なくとも顔を含む顔画像を撮影する。
【００６７】
例えば、図３に示す一方の容器３５と他方の容器３６とが互いに最大の開き角度θで開かれ、ユーザーが最大に開かれた一方の容器３５を一方の掌で持った状態においてキーボード１８を操作した場合、撮影孔３９がユーザーの顔に対向しているので、その状態において、インカメラ２１が作動し、インカメラ２１が上記携帯通信機器８を操作するユーザーの少なくとも顔を含む顔画像を撮影することができる。また、図４に示す一方の容器３５と他方の容器３６とが互いに最大の開き角度θで開かれ、ユーザーが最大に開かれた一方の容器３５を一方の掌で持った状態においてキーボード１８を操作した場合、撮影孔４１が対人の顔に対向しているので、その状態において、アウトカメラ２２が作動し、アウトカメラ２２が上記携帯通信機器８の周囲の対人の少なくとも顔を含む顔画像を撮影することができる。
【００６８】
図１３において、インカメラ２１とアウトカメラ２２とで撮影された顔画像は、配信要求手段３０によりＲＡＭ２８に記録される。そして、ステップ５０４において、配信要求手段３０がＲＡＭ２８からユーザーの顔画像と対人の顔画像とを抽出して無線送受信部１２を経由して広告サーバー６に送信する。例えば、配信要求手段３０が上記ＲＡＭ２８からユーザーの顔画像と対人の顔画像とを無線送受信部１２に転送すると、無線送受信部１２が転送されたユーザーの顔画像と対人の顔画像とをアプリケーションソフト２９の働きによる無線パス設定、位置登録エリア確認、接続の各処理により広告サーバー６に送信する。
【００６９】
上記により、広告サーバー６が携帯通信機器８から送信されたユーザーの顔画像と対人の顔画像とからユーザー及び対人の性別と年齢とを解析し、その解析した性別と年齢とに合する広告を携帯通信機器８に配信する。この広告サーバー６がユーザーの顔画像と対人の顔画像とから解析した性別と年齢とに適合する広告を携帯通信機器８に配信する処理の基本は段落００５７の説明に類似するが、異なることは広告サーバー６がユーザーの性別と年齢とに適合する広告と対人の性別と年齢とに適合する広告とのそれぞれに別々の識別情報を付して携帯通信機器８に配信することである。
【００７０】
携帯通信機器８が広告サーバー６から性別と年齢とに適合する広告の配信を受信すると、ステップ５０５において、アプリケーションソフト２９の働きにより、表示切替手段３１が広告サーバー６によるユーザーの性別と年齢とに適合する広告と対人の性別と年齢とに適合する広告とのそれぞれに付された別々の識別情報により広告サーバー６から配信された性別と年齢とに適合する広告をユーザーに適合する広告と対人に適合する広告とに分けて、ユーザーに適合する広告をインディスプレイ１９に表示し、対人に適合する広告をアウトディスプレイ２０に表示する。
【００７１】
なお、前記ステップ５０４の携帯通信機器８から広告サーバー６への顔画像の送信開始からステップ５０５の広告サーバー６から携帯通信機器８への広告の配信終了までの期間において、例えばメールの確認や環境設定の確認などのために携帯通信機器８がユーザーで操作されている最中の場合には、表示切替手段３１が広告サーバー６から配信された性別と年齢とに適合する広告を図２のバッファ２４に格納する。そして、上記ユーザーによる携帯通信機器８の操作が終了した後、表示切替手段３１がバッファ２４から性別と年齢とに適合する広告を抽出してインディスプレイ１９とアウトディスプレイ２０とに分けて表示し、図１３のステップ５０６に進む。
【００７２】
ステップ５０６では、表示切替手段３１はアプリケーションソフト２９の働きにより表示時間が経過しているかどうかを判断する。表示時間が経過していなければ、ステップ５０６がＮＯとなり、ステップ５０６に戻る。逆に、表示時間が経過していれば、ステップ５０６がＹＥＳとなり、ステップ５０７に進む。ステップ５０７では、表示切替手段３１がインディスプレイ１９とアウトディスプレイ２０とによる広告の表示を終了する。これにより、自分用と対人用との広告配信の処理が終了し、インディスプレイ１９及びアウトディスプレイ２０が表示されていない非作動状態に戻り、携帯通信機器８がバッテリーからの電力による待受状態に戻る。
【００７３】
図１４を参照し、実施の形態１に係るメールをきっかけとする自分用の広告配信の処理について説明する。このメールをきっかけとする広告配信の処理は、図２の携帯通信機器８に格納されたアプリケーションソフト２９により行われる。図１４のステップ６０１では、携帯通信機器８の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ６０２では、インディスプレイ１９が作動しているかどうかが判断される。ユーザーが携帯通信機器８を操作しなければ、ステップ６０１がＮＯとなり、ステップ６０２に戻る。
【００７４】
逆に、例えば、ユーザーが、携帯通信機器８のキーを押したり、キーロックを解除したりするなど、携帯通信機器８のインディスプレイ１９が待受状態を表示する作動状態になるように携帯通信機器８を操作すると、ステップ６０２がＹＥＳとなり、ステップ６０３に進む。ステップ６０３では、メールモードであるかそうでないかが判断される。ユーザーが携帯通信機器８をメールモードに操作しなければステップ６０３がＮＯとなりステップ６０３に戻り、ユーザーが携帯通信機器８をメールモードに操作すればステップ６０３がＹＥＳとなりステップ６０４に進む。つまり、ユーザーが携帯通信機器８をメールモードに操作した場合に、広告配信が進行する。
【００７５】
ステップ６０４では、配信要求手段３０が上記携帯通信機器８の操作の開始から環境設定時間に到達するとインカメラ２１を作動する。つまり、配信要求手段３０が上記携帯通信機器８の操作の開始からの経過時間又は経過期間をカウントし、そのカウント値がアプリケーションソフト２９に設定された環境設定時間に到達すると、配信要求手段３０がインカメラ２１を作動し、インカメラ２１が上記携帯通信機器８を操作するユーザーの少なくとも顔を含む顔画像を撮影する。例えば、図３に示す一方の容器３５と他方の容器３６とが互いに最大の開き角度θで開かれ、ユーザーが最大に開かれた一方の容器３５を一方の掌で持った状態においてキーボード１８を操作した場合、撮影孔３９がユーザーの顔に対向しているので、その状態において、インカメラ２１が作動し、インカメラ２１が上記携帯通信機器８を操作するユーザーの少なくとも顔を含む顔画像を撮影することができる。
【００７６】
図１４において、インカメラ２１で撮影された顔画像は、配信要求手段３０によりＲＡＭ２８に記録される。その後、ステップ６０５において、配信要求手段３０がＲＡＭ２８からユーザーの顔画像を抽出して無線送受信部１２を経由して広告サーバー６に送信する。例えば、配信要求手段３０が上記ＲＡＭ２８からユーザーの顔画像を無線送受信部１２に転送すると、無線送受信部１２が転送されたユーザーの顔画像をアプリケーションソフト２９の働きによる無線パス設定、位置登録エリア確認、接続の各処理により広告サーバー６に送信する。これにより、広告サーバー６が携帯通信機器８から送信されたユーザーの顔画像から性別と年齢とを解析し、その解析した性別と年齢とに適合する広告を携帯通信機器８に配信する。この広告サーバー６がユーザーの顔画像から解析した性別と年齢とに適合する広告を携帯通信機器８に配信する処理は、段落００５７の説明と同じである。
【００７７】
携帯通信機器８が広告サーバー６から性別と年齢とに適合する広告の配信を受信すると、ステップ６０５において表示切替手段３１が広告サーバー６から配信された性別と年齢とに適合する広告を図２のバッファ２４に格納しステップ６０６に進む。ステップ６０６において、メールモードが終了かそうでないかが判断される。ユーザーがメールモードを終了しなければステップ６０６がＮＯとなりステップ６０６に戻り、ユーザーがメールモードを終了していればステップ６０６がＹＥＳとなりステップ６０７に進む。ステップ６０７は、表示切替手段３１がステップ６０５でバッファ２４に保存された広告をインディスプレイ１９に表示してステップ６０８に進む。
【００７８】
ステップ６０８では、表示切替手段３１がアプリケーションソフト２９による表示時間が経過しているかどうかを判断する。表示時間が経過していなければ、ステップ６０８がＮＯとなり、ステップ６０８に戻る。逆に、表示時間が経過していれば、ステップ６０８がＹＥＳとなり、ステップ６０９に進む。ステップ６０９では、表示切替手段３１がインディスプレイ１９による広告の表示を終了する。これにより、メールをきっかけとする自分用の広告配信の処理が終了し、インディスプレイ１９及びアウトディスプレイ２０が表示されていない非作動状態に戻り、携帯通信機器８がバッテリーからの電力による待受状態に戻る。
【００７９】
図１４において、図示は省略したが、メールをきっかけとする広告を対人用にのみ表示したり、メールをきっかけとする広告を自分用と対人用とに表示したりしてもよい。対人用にのみ表示する場合には、図１４のステップ６０４及びステップ６０５のインカメラ２１をアウトカメラ２２と読み替え、図１４のステップ６０７のインディスプレイ１９をアウトディスプレイ２０と読みかえればよい。自分用と対人用とに表示する場合には、図１４のステップ６０４及びステップ６０５のインカメラ２１をインカメラ２１とアウトカメラ２２とに読み替え、図１４のステップ６０７のインディスプレイ１９をインディスプレイ１９とアウトディスプレイ２０とに読みかえればよい。
【００８０】
図１５を参照し、実施の形態１に係る携帯通信機器８が広告サーバー６から配信された広告を保存する処理について説明する。この保存の処理は、図１１のステップ３０６、図１２のステップ４０６、図１３のステップ５０６、図１４のステップ６０８のそれぞれにおける表示時間が経過したかしないかの判断から始まる。つまり、図１５のステップ７０１において、表示切替手段３１はアプリケーションソフト２９の働きにより表示時間が経過しているかどうかを判断する。表示時間が経過していなければ、ステップ７０１がＮＯとなり、ステップ７０１に戻る。逆に、表示時間が経過していれば、ステップ７０１がＹＥＳとなり、ステップ７０２に進む。
【００８１】
ステップ７０２において、表示切替手段３１がインディスプレイ１９に表示した広告を不揮発性メモリー２３に保存するかの問い合わせをインディスプレイ１９に表示し、ステップ７０４に進む。ステップ７０３において、表示切替手段３１が広告を保存するかしないかが判断される。つまり、ステップ７０２でインディスプレイ１９に表示された広告を不揮発性メモリー２３に保存するかの問い合わせを見たユーザーが公告を保存すると携帯通信機器８を操作すれば、ステップ７０３がＹＥＳとなり、ステップ７０４に進む。ステップ７０４では、表示切替手段３１がインディスプレイ１９に表示された広告を不揮発性メモリー２３に保存し、ステップ７０５に進む。
【００８２】
逆に、ステップ７０２でインディスプレイ１９に表示された広告を不揮発性メモリー２３に保存するかの問い合わせを見たユーザーが公告を保存すると携帯通信機器８を操作しなければ、ステップ７０３がＮＯとなり、ステップ７０５に進む。ステップ７０５では、表示切替手段３１がインディスプレイ１９による広告の表示を終了する。これにより、自分用の広告配信の処理が終了し、インディスプレイ１９及びアウトディスプレイ２０が表示されていない非作動状態に戻り、携帯通信機器８がバッテリーからの電力による待受状態に戻る。
【００８３】
なお、実施の形態１では、ユーザーの顔画像又は対人の顔画像から解析した性別と年齢とに適合する広告を配信する場合について説明したが、携帯通信機器８の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態において、ユーザーが携帯通信機器８のキーを押したり、キーロックを解除したりするなど、携帯通信機器８のインディスプレイ１９が待受状態を表示する作動状態になるように携帯通信機器８を操作すると、携帯通信機器８がユーザーの顔画像又は対人の顔画像を広告サーバー６に送信することなく上記操作信号をきかっけとして無線パス設定、位置登録エリア確認、接続の各処理を行って広告サーバー６からの広告の配信を受けるようにしてもよい。
【００８４】
上記携帯通信機器８がユーザーの顔画像又は対人の顔画像を広告サーバー６に送信することなく操作信号をきかっけとして広告サーバー６からの広告の配信を受ける場合、携帯通信機器８の位置や位置エリアの情報を利用してもよい。位置の情報を利用する場合は、図２に示す携帯通信機器８の測位受信部１３が受信した位置情報を、配信要求手段３０が無線送受信部１２を経由して図５の広告サーバー６に送信する。また、位置エリアの情報を利用する場合は、図１に示す携帯通信機器８の基地局３から受信した受信可能なエリア情報を、図２に示す配信要求手段３０が無線送受信部１２を経由して図５の広告サーバー６に送信する。
【００８５】
上記携帯通信機器８の位置や位置エリアの情報を利用した広告の配信の処理では、図５の解析手段５６が位置又は位置エリアの情報を利用して図６に示す地域データベース６２から地域情報を解析するか又は沿線データベース６３から沿線情報を解析する。例えば、図６に示す地域データベース６２から地域情報を解析した場合、解析手段５６が当該解析した地域情報を利用して図８に示す地域別広告データベース４９から携帯通信機器８の存在する地域に適合する広告を抽出する。図８の地域別広告データベース４９において、例えば、解析した地域が「東京都心」の場合、「広告イ」「広告ロ」が抽出される。また、解析した地域が「東京都下」の場合、「広告ハ」「広告ニ」が抽出される。そして、図５の解析手段５６が地域別広告データベース４９から抽出した広告を地域に適合する広告としてＲＡＭ５５に記録する。その後、配信手段５７がＲＡＭ５５から地域に適合する広告を抽出して携帯通信機器８に配信する。
【００８６】
また、図６に示す沿線データベース６３から沿線情報を解析した場合、解析手段５６が当該解析した沿線情報を利用して図９に示す沿線別広告データベース５０から携帯通信機器８の存在する地域に適合する広告を抽出する。図９の沿線別広告データベース５０において、例えば、解析した沿線が「山手線」で上り（内回り）の場合、「広告あ」が抽出される。また、解析した沿線が「山手線」で下り（外回り）の場合、「広告い」が抽出される。そして、図５の解析手段５６が沿線別広告データベース５０から抽出した広告を地域に適合する広告としてＲＡＭ５５に記録する。その後、配信手段５７がＲＡＭ５５から沿線に適合する広告を抽出して携帯通信機器８に配信する。
【００８７】
前述した顔画像から解析した性別と年齢との組み合わせ又は携帯通信機器８の位置や位置エリアの情報から解析した沿線だけ又は携帯通信機器８の位置や位置エリアの情報から解析した地域だけからそれらに適合した広告を配信する以外に、次のような場合も考えられる。すなわち、顔画像から解析した性別と年齢と位置情報から解析した地域との組み合わせ、顔画像から解析した性別と年齢と位置情報から解析した沿線との組み合わせ、顔画像から解析した性別と位置情報から解析した地域との組み合わせ、顔画像から解析した性別と位置情報から解析した沿線との組み合わせ、顔画像から解析した年齢と位置情報から解析した地域との組み合わせ、顔画像から解析した年齢と位置情報から解析した沿線との組み合わせ、顔画像から解析した性別と位置情報から解析した地域と沿線との組み合わせ、顔画像から解析した年齢と位置情報から解析した地域と沿線との組み合わせ、顔画像から解析した年齢だけ、顔画像から解析した性別だけにより、それぞれに適合した広告を配信してもよい。それぞれの場合には、図７に示す年齢別広告データベース４８や図８に示す地域別広告データベース４９及び図９に示す沿線別広告データベース５０に代わる図外のデータベースが必要になる。例えば、顔画像から解析した性別と年齢と位置情報から解析した地域との組み合わせに適合した広告を配信する場合は、多種類の広告を性別と年齢と地域とに区分して格納された性別年齢地域別データベースが図５に示す広告サーバー６に必要になる。顔画像から解析した性別と年齢と位置情報から解析した沿線との組み合わせに適合した広告を配信する場合は、多種類の広告を性別と年齢と沿線とに区分して格納された性別年齢沿線別データベースが図５に示す広告サーバー６に必要になる。顔画像から解析した性別と位置情報から解析した地域との組み合わせに適合した広告を配信する場合は、多種類の広告を性別とに区分して格納された性別地域別データベースが図５に示す
広告サーバー６に必要になる。顔画像から解析した性別と位置情報から解析した沿線との組み合わせに適合した広告を配信する場合は、多種類の広告を性別と沿線とに区分して格納された性別沿線別データベースが図５に示す広告サーバー６に必要になる。顔画像から解析した年齢と位置情報から解析した地域との組み合わせに適合した広告を配信する場合は、多種類の広告を年齢と地域とに区分して格納された年齢地域別データベースが図５に示す広告サーバー６に必要になる。顔画像から解析した年齢と位置情報から解析した沿線との組み合わせに適合した広告を配信する場合は、多種類の広告を年齢と沿線とに区分して格納された年齢沿線別データベースが図５に示す広告サーバー６に必要になる。顔画像から解析した性別と位置情報から解析した地域と沿線との組み合わせに適合した広告を配信する場合は、多種類の広告を性別と地域と沿線とに区分して格納された性別地域沿線別データベースが図５に示す広告サーバー６に必要になる。顔画像から解析した年齢と位置情報から解析した地域と沿線との組み合わせに適合した広告を配信する場合は、多種類の広告を年齢と地域と沿線とに区分して格納された年齢地域沿線別データベースが図５に示す広告サーバー６に必要になる。顔画像から解析した年齢だけに適合した広告を配信する場合は、多種類の広告を年齢に区分して格納された年齢別データベースが図５に示す広告サーバー６に必要になる。顔画像から解析した性別だけに適合した広告を配信する場合は、多種類の広告を性別に区分して格納された性別データベースが図５に示す広告サーバー６に必要になる。それぞれの場合を切り替えるには、ユーザーが図２に示す携帯通信機器８のキーボード１８を、図１１のステップ３０２や図１２のステップ４０３や図１３のステップ５０３や図１４のステップ５０３に示す環境設定時間内に操作することにより、図２の環境設定手段３２が上記ユーザーの操作に対応して切り替えるようにすることが考えられる。例えば、ユーザーが環境設定時間内に性別や年齢に適合した広告の配信形態から地域に適合した広告の配信形態に切り替えるように操作すると、環境設定手段３２が性別や年齢に適合した広告の配信プログラムに代わり地域に適合した広告の配信プログラムをアプリケーションソフト２９に設定し、このアプリケーションソフト２９に設定された地域に適合した広告の配信プログラムが図８に示す地域別広告データベース４８を使用して地域に適合した広告を配信する。
【００８８】
広告サーバー６から配信された広告を携帯通信機器８のインディスプレイ１９やアウトディスプレイ２０に表示する形態は、複数種の広告をサムネイル表示やスライドショー表示で表示すればよい。この広告の表示をサムネイル表示やスライドショー表示に切り替える場合には、ユーザーが図２に示す携帯通信機器８のキーボード１８を、図１１のステップ３０２や図１２のステップ４０３や図１３のステップ５０３や図１４のステップ５０３に示す環境設定時間内に操作することにより、図２の環境設定手段３２が上記ユーザーの操作に対応して切り替える。例えば、ユーザーが環境設定時間内にスライド表示形態からサムネイル表示形態に切り替えるように操作すると、環境設定手段３２がスライド表示プログラムに代わりサムネイル表示プログラムをアプリケーションソフト２９に設定する。
【００８９】
なお、実施の形態１において、広告を携帯通信機器８のインディスプレイ１９やアウトディスプレイ２０に表示するようにしたが、広告をインディスプレイ１９やアウトディスプレイ２０に表示することにより広告の効果を向上させることができたということから、アウトディスプレイ２０への表示回数に対応して携帯通信機器８のユーザーに対して広告の表示に対する報償としてユーザーの通信の料金を割り引くなどの特典データを付与するようにしてもよい。それには、例えば、図５の広告サーバー６の付与手段５８が対人に適合する広告を広告サーバー６から携帯通信機器８に配信することをきっかけとしてその対人に適合する広告の配信回数をアウトディスプレイ２０への表示回数として記録し、付与手段５８がその記録された表示回数を付加価値データベース５１に記録された特典データを与える回数と比較し、記録された表示回数が付加価値データベース５１に記録された特典データを与える回数になると、付与手段５８が付加価値データベース５１から図２の携帯通信機器８のユーザーに与えるのに必要な特典データを抽出して図１の課金サーバー７や携帯通信機器８に送信する。これにより、アウトディスプレイ２０への広告の表示回数に対応した携帯通信機器８のユーザーに対して特典データを与えることができる。
【００９０】
更に、対人がアウトディスプレイ２０に表示された広告に対して積極的にその広告を見るという行動を起こした場合において、携帯通信機器８のユーザーに対して広告の表示に対する報償としてユーザーの通信の料金を割り引くなどの特典データを付与するようにしてもよい。それには、例えば、図５の広告サーバー６の配信手段５７が配信する広告に例えば広告サーバー６を示すＵＲＬの中に広告サーバー６の機器識別子を入れておく。また、対人の使用する図外の携帯通信機器も図２の携帯通信機器８と同様に赤外線、ブルートゥース（登録商標）、フェリカ（登録商標）、Ｗｉ‐Ｆｉ（登録商標）を利用した近距離無線通信機能により情報をやり取り可能な非接触送受信部を備えているものとする。
【００９１】
そして、機器識別子の入ったＵＲＬを有する広告が図５の広告サーバー６から図２の携帯通信機器８に配信されてアウトディスプレイ２０に表示された状態において、当該アウトディスプレイ２０に表示された広告を見た対人が図外の携帯通信機器を操作してその非接触送受信部と図２の携帯通信機器８の非接触送受信部１４とで無線通信を行うことにより、図外の携帯通信機器の非接触送受信部がアウトディスプレイ２０に表示された広告のＵＲＬ及び機器識別子を取得する。その後、対人が図外の携帯通信機器を操作してＵＲＬ及び機器識別子を含む信号を当該携帯通信機器の通信可能な通信網を経由して図５の広告サーバー６に送信する。すると、広告サーバー６の付与手段５８が加価値データベース５１から広告配信に対応する図２の携帯通信機器８のユーザーに与えるのに必要な特典データを抽出して図１の課金サーバー７や携帯通信機器８に送信する。これにより、例えば、対人が図外の携帯通信機器から広告サーバー６のＵＲＬ及び機器識別子を含む信号の一回の送信につき、ユーザーの通信の通信料金を割り引くなどの特典データをユーザーに与えてもよい。その場合、対人が図外の携帯通信機器で広告を見るだけの特典データと、対人が図外の携帯通信機器で広告に関係あるいは関連する商品などを購入したときの特典データとに差をつけてもよい。なお、上述した「広告を見るだけ」というのは、携帯通信機器８のアウトディスプレイ２０に表示された広告を対人が見た場合はもちろん、対人が携帯通信機器８のアウトディスプレイ２０に表示された広告に対して、近距離無線通信機能により広告のＵＲＬ及び機器識別子を対人が図外の携帯通信機器に取得して、これを広告サーバー６に送信し、広告サーバー６からの広告を対人が図外の携帯通信機器のディスプレイに表示し、これを対人が見た場合も含むものである。
【００９２】
図示は省略するが、携帯通信機器８の携帯容器１１が折り畳みの不可能なストレートタイプ又はタブレットタイプの場合は、図３に示すキーボード１８、インディスプレイ１９、集音孔３８、撮影孔３９、放音孔４０が折り畳みの不可能な携帯容器１１の一方の面の側に可視化し得るように設けられ、図４に示すアウトディスプレイ２０、撮影孔４１、非接触送受信部１４の送受信部位７１が折り畳みの不可能な携帯容器１１の他方の面の側に可視化し得るように設けられることが考えられる。また、携帯通信機器８の携帯容器１１が引き出し可能なスライドタイプの場合は、一方の容器の上に他方の容器が重なりその他方の容器が一方の容器から飛び出るようにスライドされるように開かれ、その開かれた状態から他方の容器が一方の容器の上に重なるようにスライドされて閉じられる構造になっており、例えば、図３に示すキーボード１８、集音孔３８が一方の容器の上面の側に可視化し得るように設けられ、図３に示すインディスプレイ１９、撮影孔３９、放音孔４０がスライド可能な他方の容器の上面の側に可視化し得るように設けられ、図４に示すアウトディスプレイ２０、撮影孔４１、送受信部位７１が一方の容器の下面の側に集約して可視化し得るように設けられるか又は他方の容器の下面の側に集約して可視化し得るように設けられるか又は一方の容器の下面の側と他方の容器の下面の側とに分散して可視化し得るように設けられることが考えられる。
【００９３】
「実施の形態２」
実施の形態２では、実施の形態１と同一部分には同一符号を付して重複する説明を省略する。また、実施の形態２では、実施の形態１と同様に携帯通信機器８を用いた場合を例として説明する。実施の形態１が携帯通信機器８で撮影された顔画像に基づきユーザー又は対人に合う広告を配信するに対し、実施の形態２では携帯通信機器８で集音された音声に基づきユーザー又は対人に合う広告を配信する特徴を有する。
【００９４】
図１６を参照し、実施の形態２に係る携帯通信機器８の構成について説明する。携帯通信機器８は、携帯容器１１に、無線送受信部１２、測位受信部１３、非接触送受信部１４、バッテリー１５、インマイク６４、アウトマイク６５，スピーカー１７、キーボード１８、インディスプレイ１９、アウトディスプレイ２０、インカメラ２１、アウトカメラ２２、不揮発性メモリー２３、バッファ２４、制御部２５、加速度センサー６６を備える。加速度センサー６６は、携帯通信機器８の加速度を検出して制御部２５に出力する。例えば、携帯通信機器８を保持するユーザーが位置を移動したり又はユーザーが保持している携帯通信機器８の位置を移動すると、その移動に伴って携帯通信機器８には加速度が発生する。その発生した加速度を加速度センサー６６が検出して制御部２５に出力する。
【００９５】
制御部２５は、ＣＰＵ２６、ＲＯＭ２７、ＲＡＭ２８、アプリケーションソフト２９、配信要求手段３０、表示切替手段３１、環境設定手段３２、加速度判定手段６７を備える。加速度判定手段６７は、アプリケーションソフト２９、配信要求手段３０、表示切替手段３１、環境設定手段３２と同様に、ＣＰＵ２６の動作で具現化される。加速度判定手段６７は、アプリケーションソフト２９の働きにより、加速度センサー６６から入力した加速度が一定位置以上である場合に配信要求手段３０に動作指示を出力し、加速度センサー６６から入力した加速度が一定値未満の場合は何もしない。ここで、一定値とは、携帯通信機器８の位置が移動したと判断するためにアプリケーションソフト２９に設定されたしきい値である。
【００９６】
実施の形態２では、インカメラ２１及びアウトカメラ２２はデジタルカメラとして画像を撮影するものとして図示し広告配信に利用しないようになっていることから、配信要求手段３０がインマイク６４又はアウトマイク６５を制御するようになっている。
【００９７】
図１７を参照し、実施の形態２に係る解析データベース４７について説明する。解析データベース４７は、画像パターンデータベース６１、音声パターンデータベース６８、地域データベース６２、沿線データベース６３を備える。音声パターンデータベース６８は、ユーザーの音声からユーザーの性別や年齢を解析したり、対人の音声から対人の性別や年齢を解析したりするのに必要なデータベースであって、規範音声と性別と年齢との関係を規定したデータベースとして構築されている。ここで、規範音声とは、解析対象である音声の性別や年齢を解析する際に用いる比較のためのベースとなる音声である。規範音声と性別と年齢との関係は、多種類の規範音声と性別との関係や多種類の規範音声と年齢との関係を統計的に処理して作成されたものである。
【００９８】
図１８を参照し、実施の形態２に係る携帯通信機器８の位置の移動をきっかけとする自分用の広告配信の処理について説明する。自分用の広告配信の処理は、図１６の携帯通信機器８に格納されたアプリケーションソフト２９の働きにより行われる。図１８のステップ８０１では、携帯通信機器８の不図示の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ８０２では、加速度が一定値以上か未満かが判断される。携帯通信機器８がユーザーにより位置を移動し、図１６の加速度センサー６６が検出した加速度を制御部２５に出力し、加速度判定手段６７が一定値以上か未満かを判断する。そして、加速度が一定値未満であれば、ステップ８０２がＮＯとなり、ステップ８０２に戻る。
【００９９】
逆に、例えば、ユーザーが携帯通信機器８を手で持って携帯通信機器８の位置を移動するなどしたことで、加速度が一定値以上になると、ステップ８０２がＹＥＳとなり、ステップ８０３に進む。ステップ８０３では、配信要求手段３０が上記携帯通信機器８の位置の移動の開始から環境設定時間に到達するとインマイク６４を作動する。つまり、配信要求手段３０が上記携帯通信機器８の操作の開始からの経過時間又は経過期間をカウントし、そのカウント値がアプリケーションソフト２９に設定された環境設定時間に到達すると、配信要求手段３０がインマイク６４を作動し、インマイク６４が上記携帯通信機器８を操作するユーザーの音声を捉えるつまり集音する。インマイク６４で集音された音声は、配信要求手段３０により図１６に示すＲＡＭ２８に記録される。
【０１００】
そして、図１８のステップ８０４において、配信要求手段３０がＲＡＭ２８からユーザーの音声を抽出して無線送受信部１２を経由して広告サーバー６に送信する。例えば、配信要求手段３０が上記ＲＡＭ２８からユーザーの音声を無線送受信部１２に転送すると、無線送受信部１２が転送されたユーザーの音声をアプリケーションソフト２９の働きによる無線パス設定、位置登録エリア確認、接続の各処理により広告サーバー６に送信する。これにより、広告サーバー６が携帯通信機器８から送信されたユーザーの音声から性別と年齢とを解析し、その解析した性別と年齢とに適合する広告を携帯通信機器８に配信する。
【０１０１】
ここで、図５、図７、図１７を参照し、上記広告サーバー６がユーザーの音声から解析した性別と年齢とに適合する広告を携帯通信機器８に配信する処理について説明する。図５において、広告サーバー６が携帯通信機器８から送信されたユーザーの音声を受信すると、解析手段５６が受信した音声を図１７の解析データベース４７における音声パターンデータベース６８を利用して性別と年齢とを解析する。この受信した音声から音声パターンデータベース６８を利用して性別と年齢とを解析する手法は、例えば特開２０１０−２７７２０７号公報で開示されている手法を使用すればよい。引き続き、図５の解析手段５６が図７の年齢別広告データベース４８から解析した性別と年齢とに適合する広告を抽出する。図７の年齢別広告データベース４８において、例えば、解析した性別が「男性」、解析した年齢が「３０代」の場合、「広告ｃ」が抽出される。また、解析した性別が「女性」、解析した年齢が「２０代」の場合、「広告Ｂ」が抽出される。そして、図５の解析手段５６が年齢別広告データベース４８から抽出した広告を性別と年齢とに適合する広告としてＲＡＭ５５に記録する。その後、配信手段５７がＲＡＭ５５から性別と年齢とに適合する広告を抽出して携帯通信機器８に配信する。
【０１０２】
図１８に戻り、携帯通信機器８が広告サーバー６から性別と年齢とに適合する広告の配信を受信すると、ステップ８０５において、アプリケーションソフト２９の働きにより、表示切替手段３１が広告サーバー６から配信された性別と年齢とに適合する広告をインディスプレイ１９に表示する。なお、前記ステップ８０４の携帯通信機器８から広告サーバー６への音声の送信開始からステップ８０５の広告サーバー６から携帯通信機器８への広告の配信終了までの期間において、例えばメールの確認や環境設定の確認などのために携帯通信機器８がユーザーで操作されている最中の場合には、表示切替手段３１が広告サーバー６から配信された性別と年齢とに適合する広告を図２のバッファ２４に格納する。そして、上記ユーザーによる携帯通信機器８の操作が終了した後、表示切替手段３１がバッファ２４から性別と年齢とに適合する広告を抽出してインディスプレイ１９に表示し、図１８のステップ８０６に進む。
【０１０３】
ステップ８０６では、表示切替手段３１はアプリケーションソフト２９の働きにより表示時間が経過しているかどうかを判断する。表示時間が経過していなければ、ステップ８０６がＮＯとなり、ステップ８０６に戻る。逆に、表示時間が経過していれば、ステップ８０６がＹＥＳとなり、ステップ８０７に進む。ステップ８０７では、表示切替手段３１がインディスプレイ１９による広告の表示を終了する。これにより、自分用の広告配信の処理が終了し、インディスプレイ１９及びアウトディスプレイ２０が表示されていない非作動状態に戻り、携帯通信機器８がバッテリーからの電力による待受状態に戻る。
【０１０４】
図１９を参照し、実施の形態２に係る携帯通信機器８の位置の移動をきっかけとする対人用の広告配信の処理について説明する。対人用の広告配信の処理は、図１６の携帯通信機器８に格納されたアプリケーションソフト２９の働きにより行われる。図１９のステップ９０１では、携帯通信機器８の不図示の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ９０２では、図１６の加速度センサー６６で検出された加速度が一定値以上か未満かが判断される。そして、加速度が一定値未満であれば、ステップ９０２がＮＯとなり、ステップ９０２に戻る。
【０１０５】
逆に、例えば、ユーザーが携帯通信機器８を保持した状態で携帯通信機器８の位置を移動するなどしたことで、加速度が一定値以上になると、ステップ９０２がＹＥＳとなり、ステップ９０３に進む。ステップ９０３では、配信要求手段３０が上記携帯通信機器８の位置の移動の開始から環境設定時間に到達するとアウトマイク６５を作動する。つまり、配信要求手段３０が上記携帯通信機器８の操作の開始からの経過時間又は経過期間をカウントし、そカウント値がアプリケーションソフト２９に設定された環境設定時間に到達すると、配信要求手段３０がアウトマイク６５を作動し、アウトマイク６５が上記携帯通信機器８の周囲の対人の音声を集音する。アウトマイク６５で集音された音声は、配信要求手段３０により図１６に示すＲＡＭ２８に記録される。
【０１０６】
そして、図１９のステップ９０４において、配信要求手段３０がＲＡＭ２８から対人の音声を抽出して無線送受信部１２を経由して広告サーバー６に送信する。例えば、配信要求手段３０が上記ＲＡＭ２８から対人の音声を無線送受信部１２に転送すると、無線送受信部１２が転送された対人の音声をアプリケーションソフト２９の働きによる無線パス設定、位置登録エリア確認、接続の各処理により広告サーバー６に送信する。これにより、広告サーバー６が携帯通信機器８から送信された対人の音声から性別と年齢とを解析し、その解析した性別と年齢とに適合する広告を携帯通信機器８に配信する。この広告サーバー６が対人の音声から解析した性別と年齢とに適合する広告を携帯通信機器８に配信する処理は、段落０１０１の説明のユーザーを対人と読み替えることにより同じ処理である。
【０１０７】
携帯通信機器８が広告サーバー６から性別と年齢とに適合する広告の配信を受信すると、ステップ９０５において、アプリケーションソフト２９の働きにより、表示切替手段３１が広告サーバー６から配信された性別と年齢とに適合する広告をアウトディスプレイ２０に表示する。なお、ステップ９０４の携帯通信機器８から広告サーバー６への音声の送信開始からステップ９０５の広告サーバー６から携帯通信機器８への広告の配信終了までの期間において、例えばメールの確認や環境設定の確認などのために携帯通信機器８がユーザーで操作されている最中の場合には、表示切替手段３１が広告サーバー６から配信された性別と年齢とに適合する広告を図１６のバッファ２４に格納する。そして、上記ユーザーによる携帯通信機器８の操作が終了した後、表示切替手段３１がバッファ２４から性別と年齢とに適合する広告を抽出してアウトディスプレイ２０に表示し、図１９のステップ９０６に進む。
【０１０８】
ステップ９０６では、表示切替手段３１がアプリケーションソフト２９による表示時間が経過しているかどうかを判断する。表示時間が経過していなければ、ステップ９０６がＮＯとなり、ステップ９０６に戻る。逆に、表示時間が経過していれば、ステップ９０６がＹＥＳとなり、ステップ９０７に進む。ステップ９０７では、表示切替手段３１がアウトディスプレイ２０による広告の表示を終了する。これにより、対人用の広告配信の処理が終了し、インディスプレイ１９及びアウトディスプレイ２０が表示されていない非作動状態に戻り、携帯通信機器８がバッテリーからの電力による待受状態に戻る。
【０１０９】
図２０を参照し、実施の形態２に係る携帯通信機器８の位置の移動をきっかけとする自分用と対人用との広告配信の処理について説明する。自分用と対人用との広告配信の処理は、図１６の携帯通信機器８に格納されたアプリケーションソフト２９の働きにより行われる。図２０のステップ１００１では、携帯通信機器８の不図示の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ１００２では、インディスプレイ１９が作動しているかどうかが判断される。ユーザーが携帯通信機器８を操作しなければ、ステップ１００１がＮＯとなり、ステップ１００２に戻る。
【０１１０】
逆に、例えば、ユーザーが携帯通信機器８を保持した状態で携帯通信機器８の位置を移動するなどしたことで、加速度が一定値以上になると、ステップ１００２がＹＥＳとなり、ステップ１００３に進む。ステップ１００３では、配信要求手段３０が上記携帯通信機器８の位置の移動の開始から環境設定時間に到達するとインマイク６４とアウトマイク６５とを作動する。つまり、配信要求手段３０が上記携帯通信機器８の操作の開始からの経過時間又は経過期間をカウントし、そのカウント値がアプリケーションソフト２９に設定された環境設定時間に到達すると、配信要求手段３０がインマイク６４とアウトマイク６５とを作動し、インマイク６４が上記携帯通信機器８を操作するユーザーの音声を集音し、アウトマイク６５が上記携帯通信機器８の周囲の対人の音声を集音する。インマイク６４とアウトマイク６５とで集音された音声は、配信要求手段３０により図１６に示すＲＡＭ２８に記録される。
【０１１１】
そして、図２０のステップ１００４において、配信要求手段３０がＲＡＭ２８からユーザーの音声と対人の音声とを抽出して無線送受信部１２を経由して広告サーバー６に送信する。例えば、配信要求手段３０が上記ＲＡＭ２８からユーザーの音声と対人の音声とを無線送受信部１２に転送すると、無線送受信部１２が転送されたユーザーの音声と対人の音声とをアプリケーションソフト２９の働きによる無線パス設定、位置登録エリア確認、接続の各処理により広告サーバー６に送信する。
【０１１２】
上記により、広告サーバー６が携帯通信機器８から送信されたユーザーの音声と対人の音声とからユーザー及び対人の性別と年齢とを解析し、その解析した性別と年齢とに合する広告を携帯通信機器８に配信する。この広告サーバー６がユーザーの音声と対人の音声とから解析した性別と年齢とに適合する広告を携帯通信機器８に配信する処理の基本は段落０１０１の説明に類似するが、異なることは広告サーバー６がユーザーの性別と年齢とに適合する広告と対人の性別と年齢とに適合する広告とのそれぞれに別々の識別情報を付して携帯通信機器８に配信することである。
【０１１３】
携帯通信機器８が広告サーバー６から性別と年齢とに適合する広告の配信を受信すると、ステップ１００５において、アプリケーションソフト２９の働きにより、表示切替手段３１が広告サーバー６によるユーザーの性別と年齢とに適合する広告と対人の性別と年齢とに適合する広告とのそれぞれに付された別々の識別情報により広告サーバー６から配信された性別と年齢とに適合する広告をユーザーに適合する広告と対人に適合する広告とに分けて、ユーザーに適合する広告をインディスプレイ１９に表示し、対人に適合する広告をアウトディスプレイ２０に表示する。
【０１１４】
なお、前記ステップ１００４の携帯通信機器８から広告サーバー６への音声の送信開始からステップ１００５の広告サーバー６から携帯通信機器８への広告の配信終了までの期間において、例えばメールの確認や環境設定の確認などのために携帯通信機器８がユーザーで操作されている最中の場合には、表示切替手段３１が広告サーバー６から配信された性別と年齢とに適合する広告を図１６のバッファ２４に格納する。そして、上記ユーザーによる携帯通信機器８の操作が終了した後、表示切替手段３１がバッファ２４から性別と年齢とに適合する広告を抽出してインディスプレイ１９とアウトディスプレイ２０とに分けて表示し、図２０のステップ１００６に進む。
【０１１５】
ステップ１００６では、表示切替手段３１はアプリケーションソフト２９の働きにより表示時間が経過しているかどうかを判断する。表示時間が経過していなければ、ステップ１００６がＮＯとなり、ステップ１００６に戻る。逆に、表示時間が経過していれば、ステップ１００６がＹＥＳとなり、ステップ１００７に進む。ステップ１００７では、表示切替手段３１がインディスプレイ１９とアウトディスプレイ２０とによる広告の表示を終了する。これにより、自分用と対人用との広告配信の処理が終了し、インディスプレイ１９及びアウトディスプレイ２０が表示されていない非作動状態に戻り、携帯通信機器８がバッテリーからの電力による待受状態に戻る。
【０１１６】
図２１を参照し、実施の形態２に係るメールをきっかけとする自分用の広告配信の処理について説明する。このメールをきっかけとする広告配信の処理は、図１６の携帯通信機器８に格納されたアプリケーションソフト２９の働きにより行われる。図２１のステップ１１０１では、携帯通信機器８の電源スイッチがオン操作され、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になっている。その状態において、ステップ１１０２では、加速度が一定値以上か未満かが判断される。そして、加速度が一定値未満であれば、ステップ１１０２がＮＯとなり、ステップ１１０２に戻る。
【０１１７】
逆に、例えば、携帯通信機器８を保持した状態で携帯通信機器８の位置を移動するなどしたことで、加速度が一定値以上になると、ステップ１１０２がＹＥＳとなり、ステップ１１０３に進む。ステップ１１０３では、メールモードであるかそうでないかが判断される。ユーザーが携帯通信機器８をメールモードに操作しなければステップ１１０３がＮＯとなりステップ１１０３に戻り、ユーザーが携帯通信機器８をメールモードに操作すればステップ１１０３がＹＥＳとなりステップ１１０４に進む。つまり、ユーザーが携帯通信機器８をメールモードに操作した場合に、広告配信が進行する。
【０１１８】
ステップ１１０４では、配信要求手段３０が上記携帯通信機器８の位置の移動の開始から環境設定時間に到達するとインマイク６４を作動する。つまり、配信要求手段３０が上記携帯通信機器８の操作の開始からの経過時間又は経過期間をカウントし、そのカウント値がアプリケーションソフト２９に設定された環境設定時間に到達すると、配信要求手段３０がインマイク６４を作動し、インマイク６４が上記携帯通信機器８を操作するユーザーの音声を集音する。インマイク６４で集音された音声は、配信要求手段３０により図１６に示すＲＡＭ２８に記録される。
【０１１９】
そして、図２１のステップ１１０５において、配信要求手段３０がＲＡＭ２８からユーザーの音声を抽出して無線送受信部１２を経由して広告サーバー６に送信する。例えば、配信要求手段３０が上記ＲＡＭ２８からユーザーの音声を無線送受信部１２に転送すると、無線送受信部１２が転送されたユーザーの音声をアプリケーションソフト２９の働きによる無線パス設定、位置登録エリア確認、接続の各処理により広告サーバー６に送信する。これにより、広告サーバー６が携帯通信機器８から送信されたユーザーの音声から性別と年齢とを解析し、その解析した性別と年齢とに適合する広告を携帯通信機器８に配信する。この広告サーバー６がユーザーの音声から解析した性別と年齢とに適合する広告を携帯通信機器８に配信する処理は、段落０１０１の説明と同じである。
【０１２０】
携帯通信機器８が広告サーバー６から性別と年齢とに適合する広告の配信を受信すると、ステップ１１０５において表示切替手段３１が広告サーバー６から配信された性別と年齢とに適合する広告を図１６のバッファ２４に格納しステップ１１０６に進む。ステップ１１０６において、メールモードが終了かそうでないかが判断される。ユーザーがメールモードを終了しなければステップ１１０６がＮＯとなりステップ１１０６に戻り、ユーザーがメールモードを終了していればステップ１１０６がＹＥＳとなりステップ１１０７に進む。ステップ１１０７は、表示切替手段３１がステップ１１０５でバッファ２４に保存された広告をインディスプレイ１９に表示してステップ１１０８に進む。
【０１２１】
ステップ１１０８では、表示切替手段３１がアプリケーションソフト２９による表示時間が経過しているかどうかを判断する。表示時間が経過していなければ、ステップ１１０８がＮＯとなり、ステップ１１０８に戻る。逆に、表示時間が経過していれば、ステップ１１０７がＹＥＳとなり、ステップ１１０９に進む。ステップ１１０９８では、表示切替手段３１がインディスプレイ１９による広告の表示を終了する。これにより、メールをきっかけとする自分用の広告配信の処理が終了し、インディスプレイ１９及びアウトディスプレイ２０が表示されていない非作動状態に戻り、携帯通信機器８がバッテリーからの電力による待受状態に戻る。
【０１２２】
図２１において、図示は省略したが、メールをきっかけとする広告を対人用にのみ表示したり、メールをきっかけとする広告を自分用と対人用とに表示したりしてもよい。対人用にのみ表示する場合には、図２１のステップ１１０４及びステップ１１０５のインマイク６４をアウトマイク６５と読み替え、図２１のステップ１１０７のインディスプレイ１９をアウトディスプレイ２０と読みかえればよい。自分用と対人用とに表示する場合には、図２１のステップ１１０４及びステップ１１０５のインマイク６４をインマイク６４とアウトマイク６５とに読み替え、図２１のステップ１１０７のインディスプレイ１９をインディスプレイ１９とアウトディスプレイ２０とに読みかえればよい。
【０１２３】
なお、図１７の解析データベース４７に画像パターンデータベース６１と音声パターンデータベース６８とを設けることより実施の形態１の画像入力による場合と実施の形態２の音声入力とによる場合とを使い分けることも可能になる。画像入力と音声入力と使い分ける場合、例えば、図１６において、携帯通信機器８の不図示の電源スイッチがオン操作されるのに伴い、アプリケーションソフト２９の働きにより画像入力による場合と音声入力による場合との選択をユーザーに促す選択画面がインディスプレイ１９に表示される。その後、ユーザーがキーボード１８で画像入力による場合又は音声入力による場合の何れかを選択する操作を行う。例えば、ユーザーが画像入力による場合を選択すると、アプリケーションソフト２９の働きにより画像入力による場合が制御部２５のＲＡＭ２８に記録されて、画像入力による場合が制御部２５のＣＰＵ２６に設定される。また、ユーザーが音声入力による場合を選択すると、アプリケーションソフト２９の働きにより音声入力による場合が制御部２５のＲＡＭ２８に記録されて、音声入力による場合が制御部２５のＣＰＵ２６に設定される。このように画像入力による場合又は音声入力による場合の何れかが制御部２５のＣＰＵ２６に設定された後、携帯通信機器８が携帯通信機器８に搭載されたバッテリーからの電力で待受状態になっていると共に携帯通信機器８に搭載されたインディスプレイ１９及びアウトディスプレイ２０が表示されていない非作動状態になった状態において、図１１乃至図１４に示す画像入力による場合の処理又は図１８乃至図２１に示す音声入力による場合の処理のうちの処理が実行されるようにすれば、画像入力と音声入力と使い分けることができる。
【０１２４】
「実施の形態３」
図２２及び図２３を参照し、実施の形態３に係る携帯通信機器８の機構的な構造ついて説明する。図２２に示すように、携帯通信機器８の携帯容器６９が折り畳みの不可能な又は引き出し不可能な一体の形のタブレットタイプになっている。携帯容器６９の正面側には、集音孔３８、撮影孔３９が設けられる。携帯容器６９の内部には、インディスプレイ１９、インカメラ２１、インマイク６４が設けられる。インディスプレイ１９の表示画面が、携帯容器６９の前面側で可視化し得るように配置される。インカメラ２１は、携帯容器６９の前面側の画像を撮影孔３９から撮影できるように配置される。インマイク６４は、携帯容器６９の前面側の音声を集音孔３８から集音できるように配置される。インディスプレイ１９の表示画面には、図１６に示すキーボード１８を構成するタッチスイッチ或いは前述した配信された広告が制御部２５の制御で表示されるようになっている。図２３に示すように、携帯容器６９の背面側には、撮影孔４１、集音孔７０、非接触送受信部１４の送受信部位７１が設けられる。携帯容器６９の内部には、アウトディスプレイ２０、アウトカメラ２２、アウトマイク６５、非接触送受信部１４が設けられる。アウトディスプレイ２０の表示画面が、携帯容器６９の背面側で可視化し得るように配置される。アウトカメラ２２は、携帯容器６９の背面側の画像を撮影孔４１から撮影できるように配置される。アウトマイク６５は、携帯容器６９の背面側の音声を集音孔７０から集音できるように配置される。アウトディスプレイ２０の表示画面には、前述した配信された広告が制御部２５の制御で表示されるようになっている。
【０１２５】
「実施の形態４」
図２４を参照し、実施の形態４に係る携帯通信機器８の背面側の機構的な構造ついて説明する。携帯通信機器８の折り畳みの不可能なタブレットタイプに構成された携帯容器６９の背面側の上部には、アウトディスプレイ２０の表示画面が携帯容器６９の背面側で可視化し得るように配置される。この図２４に示すアウトディスプレイ２０の表示画面は、図２３に示すアウトディスプレイ２０の表示画面よりも小さく横長になっている。携帯容器６９の背面のアウトディスプレイ２０の表示画面と集音孔７０と送受信部位７１との間に位置する部分には、凹凸部分７２が設けられる。凹凸部分７２は、ユーザーが携帯通信機器８を持つ場合に、ユーザーの手の指が触れることにより滑り止めとなる。
【０１２６】
「実施の形態５」
図２５を参照し、実施の形態５に係る携帯通信機器８の背面側の機構的な構造ついて説明する。携帯通信機器８の折り畳みの不可能なタブレットタイプに構成された携帯容器６９の背面側の一側部には、アウトディスプレイ２０の表示画面が携帯容器６９の背面側で可視化し得るように配置される。この図２５に示すアウトディスプレイ２０の表示画面は、図２３に示すアウトディスプレイ２０の表示画面よりも小さく縦長になっている。携帯容器６９の背面のアウトディスプレイ２０の表示画面と集音孔７０との間に位置する部分には、凹凸部分７２が設けられる。凹凸部分７２は、ユーザーが携帯通信機器８を持つ場合に、ユーザーの手の指が触れることにより、滑り止めとなる。
【０１２７】
図２２乃至図２５には図示していないが、図１６の無線送受信部１２、測位受信部１３、バッテリー１５、不揮発性メモリー２３、バッファ２４、制御部２５、加速度センサー６６などの電気部品は図２２乃至図２５の携帯容器６９の内部に収容されている。なお、図２２乃至図２５に示すタブレットタイプの携帯容器６９は、図１に示す携帯通信機器８の携帯容器１１として用いることも可能であるが、その場合は、図２２に示すインマイク６４が図２に示すマイク１６に置換され、図２３乃至図２５に示すアウトマイク６５及び集音孔７０が除去された態様となる。
【０１２８】
図示は省略するが、携帯通信機器８の携帯容器６９が折り畳みの可能な折り畳みタイプ又は引き出し可能なスライドタイプでも実施可能である。携帯容器６９が折り畳みタイプ場合は、図２２に示すインディスプレイ１９、インカメラ２１、集音孔３８、撮影孔３９、インマイク６４が折り畳みの可能な携帯容器６９の一方の容器に設けられ、図２３又は図２４又は図２５に示すアウトディスプレイ２０、アウトカメラ２２、撮影孔４１、集音孔７０、アウトマイク６５、非接触送受信部１４、送受信部位７１が折り畳みの可能な携帯容器１１の他方の容器に設けられることが考えられる。また、携帯容器６９がスライドタイプの場合は、一方の容器の上に他方の容器が重なりその他方の容器が一方の容器から飛び出るようにスライドされるように開かれ、その開かれた状態から他方の容器が一方の容器の上に重なるようにスライドされて閉じられる構造になっており、例えば、図２２に示すインディスプレイ１９、集音孔３８、撮影孔３９が一方の容器の上面の側に可視化し得るように設けられ、図３に示すインディスプレイ１９、インカメラ２１、撮影孔３９がスライド可能な他方の容器の上面の側に可視化し得るように設けられ、図２３又は図２４又は図２５に示すアウトディスプレイ２０、撮影孔４１、集音孔７０、送受信部位７１が一方の容器の下面の側に集約して可視化し得るように設けられるか又は他方の容器の下面の側に集約して可視化し得るように設けられるか又は一方の容器の下面の側と他方の容器の下面の側とに分散して可視化し得るように設けられることが考えられる。
【符号の説明】
【０１２９】
１は広告配信装置、２は通信網、３；４は基地局、５は通信制御機器、６は広告サーバー、７は課金サーバー、８；９は携帯通信機器、１０は欠番、１１は携帯容器、１２は無線送受信部、１３は測位受信部、１４は非接触送受信部、１５はバッテリー、１６はマイク、１７はスピーカー、１８はキーボード、１９はインディスプレイ、２０はアウトディスプレイ、２１はインカメラ、２２はアウトカメラ、２３は不揮発性メモリー、２４はバッファ、２５は制御部、２６はＣＰＵ、２７はＲＯＭ、２８はＲＡＭ、２９はアプリケーションソフト、３０は配信要求手段、３１は表示切替手段、３２は環境設定手段、３３乃至３４は欠番、３５は容器、３６は容器、３７はヒンジ、３８は集音孔、３９は撮影孔、４０は放音孔、４１は撮影孔、４２乃至４４は欠番、４５は操作部、４６はディスプレイ、４７は解析データベース、４８は年齢別広告データベース、４９は地域別広告データベース、５０は沿線別広告データベース、５１は付加価値データベース、５２は制御部、５３はＣＰＵ、５４はＲＯＭ、５５はＲＡＭ、５６は解析手段、５７は配信手段、５８は付与手段、５９；６０は欠番、６１は画像パターンデータベース、６２は地域データベース、６３は沿線データベース、６４はインマイク、６５はアウトマイク６５、６６は加速度センサー、６７は加速度判定手段、６８は音声パターンデータベース、６９は携帯容器、７０は集音孔、７１は送受信部位、７２は凹凸部分。
【図１】
0005921833.tif 000002
【図２】
0005921833.tif 000003
【図３】
0005921833.tif 000004
【図４】
0005921833.tif 000005
【図５】
0005921833.tif 000006
【図６】
0005921833.tif 000007
【図７】
0005921833.tif 000008
【図８】
0005921833.tif 000009
【図９】
0005921833.tif 000010
【図１０】
0005921833.tif 000011
【図１１】
0005921833.tif 000012
【図１２】
0005921833.tif 000013
【図１３】
0005921833.tif 000014
【図１４】
0005921833.tif 000015
【図１５】
0005921833.tif 000016
【図１６】
0005921833.tif 000017
【図１７】
0005921833.tif 000018
【図１８】
0005921833.tif 000019
【図１９】
0005921833.tif 000020
【図２０】
0005921833.tif 000021
【図２１】
0005921833.tif 000022
【図２２】
0005921833.tif 000023
【図２３】
0005921833.tif 000024
【図２４】
0005921833.tif 000025
【図２５】
0005921833.tif 000026